(57)【要約】  【課題】  薄い扁平な筐体内にメモリーカード収納部やバッテリー収納部、メイン基板等をスペース効率よく配置する。  【解決手段】  電子機器１は、扁平な筐体８の内部にメモリーカード収納部６６と、バッテリー収納部６９と、メイン基板１８１等を備えている。メモリーカード収納部６６は、筐体８の略中央部に配置されていて、筐体８の第１の端面（下端面）６５に設けた開口部からメモリーカード１４８を挿抜する。バッテリー収納部６９は、メモリーカード収納部６６の側部に配置されていて、前記筐体８の第１の端面６５に連続する第２の端面６８に設けた開口部からバッテリー１１１を挿抜する。メモリーカード収納部６９上にはメイン基板１８１が重ね合わせて配置されている。メイン基板１８１の一側部にはバッテリー収納部６９内に収納したバッテリー１１１に接触するバッテリー接触端子１１２が設けられている。  【選択図】  図８
2006222599.tif 000002
【特許請求の範囲】
【請求項１】
扁平な筐体の内部に記録媒体収納部とバッテリー収納部を備えた電子機器であって、
前記記録媒体収納部又はバッテリー収納部の何れか一方の収納部は、前記筐体の略中央部に配置され、他方の収納部は、前記筐体の略中央部に配置された収納部の側部に並べて配置されていて、
前記筐体の略中央部に配置された収納部の開口部は、前記筐体の第１の端面に設けられ、他方の収納部の開口部は、前記筐体の第１の端面に連続する第２の端面に設けられていることを特徴とする電子機器。
【請求項２】
前記筐体の略中央部に配置された収納部は、記録媒体収納部であり、該記録媒体収納部の側部に並べて配置されているのがバッテリー収納部であることを特徴とする請求項１に記載の電子機器。
【請求項３】
前記記録媒体収納部に重ね合わせてメイン基板が配置されていることを特徴とする請求項２に記載の電子機器。
【請求項４】
前記メイン基板の一側部で、かつ記録媒体収納部と前記バッテリー収納部の間には、前記バッテリー収納部に収納されたバッテリーの端子が接触するバッテリー接触端子が設けられていることを特徴とする請求項３に記載の電子機器。
【請求項５】
前記筐体内は、仕切板によって、該仕切板と前記筐体の第１の主面との間に位置する第１の部品収納空間と、前記仕切板と前記筐体の第２の主面との間に位置する第２の部品収納空間と、前記仕切板の存在しない第３の部品収納空間と、に仕切られていることを特徴とする請求項１に記載の電子機器。
【請求項６】
前記第１の部品収納空間内に、前記記録媒体収納部と、バッテリー収納部と、メイン基板と、ストロボユニットを構成するコンデンサ、ＡＦイルミネータ、フラッシュ用の発光部と、が配置されていることを特徴とする請求項５に記載の電子機器。
【請求項７】
前記コンデンサは、前記バッテリー収納部と前記筐体の第１の端面に対向する第４の端面との間に配置され、前記ＡＦイルミネータおよびフラッシュ用の発光部は、前記記録媒体収納部と前記筐体の第４の端面との間に配置されていることを特徴とする請求項６に記載の電子機器。
【請求項８】
前記第２の部品収納空間には、液晶パネルが配置されていることを特徴とする請求項５に記載の電子機器。
【請求項９】
前記第３の部品収納空間には、レンズユニットが配置されていることを特徴とする請求項５に記載の電子機器。
【請求項１０】
前記レンズユニットを構成する撮像レンズは、前記筐体の第４の端面側に配置されていることを特徴とする請求項９に記載の電子機器。
【請求項１１】
前記第３の部品収納空間に収納されたレンズユニットの一側部にはアイリス駆動部が設けられていて、該アイリス駆動部の少なくとも一部は、前記第１の部品収納空間内に侵入していることを特徴とする請求項１０に記載の電子機器。
【請求項１２】
前記メイン基板および前記記録媒体収納部には、前記第１の部品収納空間内に侵入したアイリス駆動部の少なくとも一部を受け入れる切欠部が設けられていることを特徴とする請求項１１に記載の電子機器。
【請求項１３】
前記アイリス駆動部は、前記レンズユニットに対して前記筐体の第１の主面側に突出するように変位していて、前記アイリス駆動部の下部に前記液晶パネルの一端部を導入するパネル受部が設けられていることを特徴とする請求項１１に記載の電子機器。
【請求項１４】
前記筐体の第１の主面には、前記アイリス駆動部の前記筐体の第１の主面側への突出部を導入する突出部導入孔が設けられていることを特徴とする請求項１３に記載の電子機器。
【請求項１５】
前記仕切板は、一端部側が前記筐体の第２の端面側に位置決め保持され、他端部側が一対のアーム部を介して前記筐体の第４の端面側に位置決め保持されていることを特徴とする請求項５に記載の電子機器。
【請求項１６】
前記筐体の第２の端面の外面には、ストラップ金具が設けられていることを特徴とする請求項２に記載の電子機器。
【請求項１７】
前記筐体の第２の端面と前記ストラップ金具は、アルミダイカストにより一体に形成されていることを特徴とする請求項１６に記載の電子機器。
【発明の詳細な説明】
【技術分野】
【０００１】
本発明は、メモリーカード等の記録媒体とバッテリーを使用するデジタルカメラや携帯式ゲーム機等の電子機器に関するものである。
【背景技術】
【０００２】
前記メモリーカード等の記録媒体（以下、メモリーカードと称する）とバッテリーを使用するデジタルカメラや携帯式ゲーム機等の電子機器は、当然のことながらメモリーカードを収納する記録媒体収納部（以下、メモリーカード収納部と称する）と、バッテリーを収納するバッテリー収納部と、を備えている。そして、前記メモリーカード収納部にメモリーカードを収納し、前記バッテリー収納部内にバッテリーを収納するようになっている。（例えば、特許文献１）
【特許文献１】特開平０６−２７６４１８号公報
【発明の開示】
【発明が解決しようとする課題】
【０００３】
ところで、前記従来の電子機器は、筐体内にメモリーカード収納部とバッテリー収納部を設けるという性質上、これらメモリーカード収納部とバッテリー収納部に多くのスペースを取られるために、筐体を小型化、薄肉化（カード化）する上での大きな障害になっていた。
【０００４】
本発明の目的は、メモリーカード収納部やバッテリー収納部、配線基板等の配置に工夫を凝らすことにより、筐体を小型化、薄肉化（カード化）すると共に、電子機器の使い勝手を向上させることにある。
【課題を解決するための手段】
【０００５】
扁平な筐体の内部にメモリーカード収納部とバッテリー収納部を備えた電子機器において、前記メモリーカード収納部又はバッテリー収納部の何れか一方の収納部を、前記筐体の略中央部に配置し、他方の収納部を、前記筐体の略中央部に配置された収納部の側部に並べて配置し、前記筐体の略中央部に配置された収納部の開口部を、前記筐体の第１の端面に設け、他方の収納部の開口部を、前記筐体の第１の端面に連続する第２の端面に設けた。特に、メモリーカード収納部を筐体の略中央部に配置し、その側部にバッテリー収納部を配置した。また、前記メモリーカード収納部に重ね合わせてメイン基板を配置した。
【０００６】
前記メイン基板の一側部で、かつ前記メモリーカード収納部と前記バッテリー収納部の間に、前記バッテリー収納部に収納されたバッテリーの端子が接触するバッテリー接触端子を設けた。
【０００７】
前記筐体内を、仕切板によって、該仕切板と前記筐体の第１の主面との間に位置する第１の部品収納空間と、前記仕切板と前記筐体の第２の主面との間に位置する第２の部品収納空間と、前記仕切板の存在しない第３の部品収納空間と、に仕切った。
【０００８】
前記第１の部品収納空間内に、前記メモリーカード収納部とバッテリー収納部およびメイン基板を配置した。更に、前記第１の部品収納空間内に、ストロボユニットを構成するコンデンサと、ＡＦイルミネータと、フラッシュ用の発光部と、を配置した。
【０００９】
前記コンデンサを、前記バッテリー収納部と前記筐体の第１の端面に対向する第４の端面との間に配置し、前記ＡＦイルミネータおよびフラッシュ用の発光部を、前記メモリーカード収納部と前記筐体の第４の端面との間に配置した。前記第２の部品収納空間に、液晶パネルを配置した。前記第３の部品収納空間に、レンズユニットを配置した。
【００１０】
前記レンズユニットを構成する撮像レンズを、前記フラッシュ用の発光部およびＡＦイルミネータの側方に並べて配置した。前記レンズユニットの一側部にアイリス駆動部を設け、該アイリス駆動部の少なくとも一部を、前記第１の部品収納空間内に侵入させた。
【００１１】
前記メイン基板および前記メモリーカード収納部に、前記アイリス駆動部の少なくとも一部を受け入れる切欠部を設けた。前記アイリス駆動部を、前記レンズユニットに対して前記筐体の第１の主面側に突出するように変位させて、前記アイリス駆動部の下部に前記液晶パネルの一側部を導入するパネル受部を設けた。
【００１２】
前記筐体の第１の主面に、前記アイリス駆動部の前記第１の主面側への変位部（突出部）を導入する突出部導入孔を設けた。
【００１３】
前記仕切板の一端部側を前記筐体の第２の端面側に位置決め保持し、他端部側を一対のアーム部を介して前記筐体の第４の端面側に位置決め保持した。
【００１４】
前記バッテリー収納部の開口部を設けた前記筐体の第２の端面の外面に、ストラップ金具を設けた。前記筐体の第２の端面と前記ストラップ金具をアルミダイカストにより一体に形成した。
【発明の効果】
【００１５】
前記メモリーカード収納部又はバッテリー収納部の何れか一方の収納部を、前記筐体の略中央部に配置し、他方の収納部を、前記筐体の略中央部に配置された収納部の側部に並べて配置し、前記筐体の略中央部に配置された収納部の開口部を、前記筐体の第１の端面に設け、他方の収納部の開口部を、前記筐体の第１の端面に連続する第２の端面に設けたので、同一の端面に複数の開口部が並存するのを防止する共に、メモリーカードとバッテリーを略９０°角度の異なる方向からそれぞれの収納部に挿入することができる。
【００１６】
メモリーカードとバッテリーの重量を比較した場合に一般的にバッテリーの方が重い。従って、バッテリー収納部を、筐体の略中央部に配置して、該収納部の開口部を、前記筐体の第１の端面としての下端面に設けた場合には、バッテリーが自重によりバッテリー収納部から抜け落ちる危険性がある。そこで、バッテリーを前記筐体の第２の端面としての筐体の側端面に設けた開口部から挿抜することによりバッテリーが自重で前記開口部から抜け落ちるのを防止すると共に、バッテリーよりも軽量のメモリーカードを筐体の中央部に設けたメモリーカード収納部に収納して、メモリーカードが自重により開口部から抜け落ちる危険性を少なくした。
【００１７】
また、前記筐体の略中央部に設けた収納部上に重ね合わせてメイン基板を設けたので、メイン基板も自ずと筐体の略中央部に配置された状態になって、該メイン基板とその周縁部に配置されている各種部品との接続が容易になる。
【００１８】
また、前記メイン基板の一側部で、かつメモリーカード収納部と前記バッテリー収納部の間にバッテリー接触端子を配置することにより、前記バッテリー収納部にバッテリーを挿入したときに、該バッテリーの先端面に設けた端子を前記メイン基板の一側部に設けたバッテリー接触端子に接触させることができる。
【００１９】
前記筐体内を、仕切板によって、該仕切板と前記筐体の第１の主面との間に位置する第１の部品収納空間と、前記仕切板と前記筐体の第２の主面との間に位置する第２の部品収納空間と、前記仕切板の存在しない第３の部品収納空間と、に仕切ったので、これら第１〜第３の部品収納空間に、それぞれ各種部品を整理して配置することができる。
【００２０】
前記第１の部品収納空間内に、前記メモリーカード収納部と、バッテリー収納部と、メイン基板と、ストロボユニットと、を配置したので、前記第１の部品収納空間内において、前記メイン基板とストロボユニット等を接続することができる。特に、前記バッテリー収納部と前記筐体の第１の端面に対向する第４の端面との間の空きスペースを利用して前記ストロボユニットのコンデンサを配置し、前記バッテリー収納部と前記筐体の第１の端面に対向する第４の端面との間の空きスペースを利用して前記ストロボユニットを構成するＡＦイルミネータおよびフラッシュ用の発光部を配置することにより、狭い筐体内を無駄なスペースを発生させることなく、前記各種部品等を効果的に配置することができる。また、前記第２の部品収納空間に、液晶パネルを配置したので、該液晶パネルの背面（底面）側が前記仕切板で支持されて、前記液晶パネルの表面側が押されたような場合でも液晶パネルが変形するのを防止する。
【００２１】
前述したように、前記仕切板を境にして、該仕切板の一面側に位置する第１の部品収納空間にメモリーカード収納部、バッテリー収納部、メイン基板等を配置し、前記仕切板の他面側に位置する第２の部品収納空間に液晶パネルを配置し、前記第３の部品収納空間にレンズユニットを配置した。前記第３の部品収納空間は、仕切板が存在せず、前記筐体の第１の主面と第２の主面の間の隙間がもっとも大になるので、この第３の部品収納空間内に、筐体内に収納される各種部品のうち最も肉厚が大きいレンズユニットを配置することが可能になる。そして、前記液晶パネルとレンズユニットが非重合状態に配置されることになる。
【００２２】
前記レンズユニットの一側部から突出したアイリス駆動部の少なくとも一部を、前記第１の部品収納空間内に侵入させた。前記レンズユニットにはアイリス駆動部が必要になる。前記アイリス駆動部は、その性質上、前記レンズユニットよりも幅広になる。前記アイリス駆動部の幅に合わせて前記レンズユニットの幅を形成すると前記レンズユニットの幅全体が大になる。そこで、前記アイリス駆動部の少なくとも一部を前記レンズユニットの一側部から突出させて、前記第１の部品収納空間内に侵入させる構成にすることにより、前記レンズユニット全体の幅をアイリス駆動部の幅に合わせて形成する必要性をなくした。一方、前記メイン基板および前記メモリーカード収納部に、前記レンズユニットの一側部から突出したアイリス駆動部の少なくとも一部を受け入れる切欠部を設け、該切欠部内に前記アイリス駆動部を導入して、前記メイン基板および前記メモリーカード収納部と、前記レンズユニットを可能な限り接近させて配置することを可能にした。
【００２３】
また、前記アイリス駆動部を、前記レンズユニットに対して前記筐体の第１の主面側に突出するように変位させて、前記アイリス駆動部の下部に前記液晶パネルの一側部を導入するパネル受部を設け、該パネル受部に前記液晶パネルの一側部を導入して、前記液晶パネルと前記レンズユニット可能な限り接近させて配置することを可能にした。また、前記筐体の第１の主面に、前記アイリス駆動部の前記第１の主面側への変位部（突出部）を導入する突出部導入孔を設け、該突出部導入孔内に前記第１の主面側への変位部（突出部）を導入して、該変位部を前記突出部導入孔を介して前記第１の主面の外部に突出させることにより、筐体全体の肉厚が厚くなるのを防止した。
【００２４】
前記仕切板の一端部側を前記筐体の第２の端面側に位置決め保持し、他端部側を一対のアーム部を介して前記筐体の第４の端面側に位置決め保持することにより、前記仕切板が前記筐体の第１の主面側或いは前記第１の主面側に撓むなどして、前記第１の部品収納空間や前記第２の部品収納空間の容積が変化するのを防止した。また、前記バッテリー収納部の開口部を設けた前記筐体の第２の端面の外面に、ストラップを取付けるストラップ金具を設けることにより、前記ストラップ金具を所謂グリップとして使用し、カメラ本体部を把持し易いものにすると共に、前記バッテリー収納部の開口部を開閉するバッテリー蓋を開いたときに、該バッテリー蓋を前記ストラップ金具に当接させて、バッテリー蓋の開き角度を規定し、かつバッテリー蓋を保護した。
【００２５】
また、前記筐体の第２の端面と前記ストラップ金具をアルミダイカストにより一体に形成することにより、前記筐体の第２の端面に前記ストラップ金具を組み付ける面倒を無くすと共に、前記ストラップ金具の肉厚や形状、例えばストラップ金具の根元部の肉厚を厚くし、先端側に行くに従って徐々に肉厚を薄くしたりすることも容易にできる。
【発明を実施するための最良の形態】
【００２６】
以下、本発明の電子機器を、（１）電子機器全体の概略構成、（２）カメラ本体部の構成、（３）バリヤの構成、（４）ローラの構成、（５）バリヤスライドガイド部の構成、（６）トグルバネの構成、（７）メモリーカード収納部の蓋の構成、（８）バッテリー収納部の蓋の構成、（９）バッテリーリリースレバーの構成、（１０）ストラップ金具の構成、（１１）他の実施例、の順に説明する。
（１）電子機器全体の概略構成、
図１Ａ、図１Ｂは本発明の電子機器としてのデジタルカメラを第１の主面（正面）側から見た斜視図、図２は本発明のデジタルカメラを第２の主面（裏面）側から見た斜視図である。
【００２７】
前記デジタルカメラ１は、前記扁平な直方体形状のカメラ本体部２の第１の主面３に臨んで撮像レンズ４と、オートフォーカス用の補助光を発光させるためのＡＦイルミネータ５と、フラッシュ用の発光部６が配置されていて、図１Ａに示す前記撮像レンズ４、ＡＦイルミネータ５、フラッシュ用の発光部６を露出させる第１の位置と、図１Ｂに示す前記撮像レンズ４、ＡＦイルミネータ５、フラッシュ用の発光部６を隠蔽する第２の位置の間で移動可能なバリヤ（レンズカバー）７を備えている。前記筐体２の第１の主面３からは、前記筐体２に収容したアイリス駆動機構８の一部が突出している。
【００２８】
図１Ａに示すように、前記バリヤ７が前記第１の位置に在るときに該バリヤ７で隠蔽される位置で、かつ図１Ｂに示すように、前記バリヤ７が前記第２の位置に在るときにも該バリヤ７で隠蔽される位置に前記アイリス駆動機構１８４の一部が突出している。
【００２９】
前記バリヤ７は、略矩形状に形成されていて、四隅部には、前記カメラ本体部２の第１の主面３に接触する第１〜第４のローラ１１〜１４が設けられていると共に、移動方向の両側部には一対の第１,第２のバリヤスライドガイド部１５、１６が配置されている。そして、前記バリヤ７は、前記第１〜第４のローラ１１〜１４と第１,第２のバリヤスライドガイド部１５、１６とによって、前記カメラ本体部２の第１の主面３上を前記第１の位置と前記第２の位置の相互で移動するようになっている。
【００３０】
前記第１のバリヤスライドガイド部１５は、後にカメラ本体部の構成の項で詳しく説明するように、カメラ本体部２側に設けた第１のバリヤ係合体２５と、バリヤ側に設けられていて前記第１のバリヤ係合体２５がスライド可能に重合するレール状の第１のバリヤ係合体係合部９１と、からなっている。また、前記第２のバリヤスライドガイド部１６は、前記第１のバリヤスライドガイド部１５と同様に、前記カメラ本体部２側に設けた第２のバリヤ係合体２６と、バリヤ側に設けられていて前記第２のバリヤ係合体２６がスライド可能に重合するレール状の第２のバリヤ係合体係合部９２と、からなっている。
【００３１】
前記バリヤ７は、前記第１の位置に在るときには、図１Ａに示すように、バリヤ付勢バネ（以下、トグルバネと称する）１７のバネ力で前記第１,第２のバリヤ係合体２５、２６に前記レール状の第１,第２のバリヤ係合体係合部９１,９２の一端側に設けた第１のストッパー部１８が押し付けられて前記撮像レンズ４、ＡＦイルミネータ５、フラッシュ用の発光部６を露出させた状態に維持される。また、前記第２の位置に在るときには、図１Ｂに示すように、前記トグルバネ１７のバネ力で前記第１,第２のバリヤ係合体２５,２６に前記レール状の第１,第２のバリヤ係合体係合部９１,９２の他端側に設けた第２のストッパー部１９が押し付けられて前記撮像レンズ４、ＡＦイルミネータ５、フラッシュ用の発光部６および前記アイリス駆動機構８の一部を隠蔽した状態に維持される。
【００３２】
図２Ａ、図２Ｂに示すように、前記カメラ本体部２内にはメモリーカード等の記録媒体を収納するメモリーカード収納部６６が設けられている。前記メモリーカード収納部６６は、前記第１の主面３と前記第２の主面５１を結ぶ第１の端面（下端面）６５に開口されていて、該開口部を介して前記メモリーカード収納部６６へのメモリーカードの挿抜が行われる。前記メモリーカード収納部６６の開口部は、メモリーカード収納部用の蓋（以下、メモリーカード蓋と称する）６７で開閉される。また、前記前記カメラ本体部２内には前記メモリーカード収納部６６と直交する方向にバッテリー収納部６９が設けられている。前記バッテリー収納部６９は、前記第１の主面３と前記第２の主面５１を結ぶ第２の端面（右側端面）６８に開口されていて、該開口部を介して前記バッテリー収納部６９へのバッテリーの挿抜が行われる。前記バッテリー収納部６９の開口部は、バッテリー蓋７０で開閉される。前記バッテリー蓋７０の側方には、前記バッテリー収納部６９へのバッテリーの挿入および前記バッテリー収納部６９からバッテリーの抜去を許容するバッテリーリリースレバー７１と、前記バッテリー蓋７０を開いたときに該バッテリー蓋７０が重なるストラップ金具７２と、マルチコネクター接続端子７３と、電源釦７４が設けられている。前記バッテリーリリースレバー７０は、前記バッテリー蓋６９の側方に、該バッテリー蓋６９と非重合状態に配置されている。また、前記バッテリー収納部６９の奥端面には、バッテリー接触端子１１２とバッテリー排出用のバネ１６１が設けられている。
【００３３】
前記バッテリー収納部６９にバッテリーを挿入すると、該バッテリーの先端面で前記バッテリー排出用のバネ１６１が押圧されて、該バッテリー排出用のバネ１６１は蓄勢されて行く。バッテリーがバッテリー収納部６９内に収納されると、前記バッテリーの先端面に設けた端子が前記バッテリー収納部６９の奥端側に設けたバッテリー接触端子１１２と接触する。そこで、前記バッテリーリリースレバー７１の先端で前記バッテリーの背面を押さえて、バッテリーがバッテリー収納部６９から抜け出るのを防止する。
【００３４】
バッテリーをバッテリー収納部６９から抜き出す際には、前記バッテリーリリースレバー７１による前記バッテリーの背面の押さえを解除すると、バッテリーは、前記バッテリー排出用のバネ１６１のバネ力で前記バッテリー収納部６９から所定量押し出される。
（２）カメラ本体部の構成、
カメラ本体部２は、筐体８に各種部品を組み付けることにより構成されている。図３、図４に示すように、前記筐体８は、前記第１の主面３を有する上側カバープレート９と、前記第２の主面５１を有する下側カバープレート１０を結合することにより形成されている。前記筐体８の第１の端面（カメラ通常使用時における下端面）６５は、前記上側カバープレート９の第１の端縁９ａと前記下側カバープレート１０の第１の端縁１０ａを突き合せることにより構成されている。（図２Ｂ参照）。
【００３５】
前記筐体８の第３の端面（上端面）６１は、前記上側カバープレート９の第２の端縁９ｂと、前記下側カバープレート１０の第２の端縁１０ｂを突き合せることにより構成されている。（図１Ａ参照）。前記筐体８の第４の端面（カメラ通常使用時における使用者の左側の端面）７５は、前記上側カバープレート９の第２の端縁９ｃと、前記下側カバープレート１０の第２の端縁１０ｃを突き合せることにより構成されている。（図１Ａ参照）。
【００３６】
前記第４の端面７５と対向する上，下側カバープレート９，１０の一端側９ｄ、１０ｄは、開口された状態になっていて、該開口に前記筐体８の第２の端面（カメラ通常使用時における使用者の右側の端面）６８が組み付けられる構成になっている。
【００３７】
前記筐体の第２の端面６８は、アルミダイカストやプラスチックの射出成形によって形成されていて、前記バッテリー収納部６９の開口部６９ａ（図３参照）が形成され、該開口部６９ａは、後に説明するバッテリー蓋７０で開閉される。図４に示すように、前記第２の端面６８の外面側にストラップ金具７２が一体に形成されている。また、前記第２の端面６８の内面側には、前記筐体８内を仕切る仕切板１７１が配置されている。
【００３８】
前記仕切板１７１の一側部は、前記第２の端面６８の内面側に位置決め保持される。前記仕切板１７１の他側部には、第１，第２のアーム部１７２，１７３が設けられている。前記仕切板１７１は、前記第２の端面６８と前記第１，第２のアーム部１７２，１７３とによって、前記第１の主面３と前記第２の主面５１の間に、これら第１の主面３と前記第２の主面５１と略平行に配置されている。図５に示すように、前記筐体８内は、前記仕切板１７１によって、前記仕切板１７１と前記筐体８の第１の主面３との間に位置する第１の部品収納空間１７４と、前記仕切板１７１と前記筐体８の第２の主面５１との間に位置する第２の部品収納空間１７５と、前記仕切板１７１の存在しない第３の部品収納空間１７６と、に仕切られている。なお、５２は、前記第２の主面５１に設けられた透明な液晶表示窓である。
【００３９】
図６および図８に示すように、前記第１の部品収納空間１７４内には、ＡＦイルミネータ５とストロボ用の発光部６およびコンデンサ１７９を備えたストロボユニット１８０と、メモリーカード収納部６６と、メイン基板１８１と、バッテリー接触端子１１２と、スピーカ５７と、バッテリー収納部６９等が配置される。
【００４０】
前記バッテリー収納部６９は、前記上側カバープレート９の第１の主面３の内面に設けられている。前記バッテリー収納部６９は、扁平な略四角形の筒状に形成されていて、前記筐体８の第２の端面６８に臨む一端側の開口部６９ａがバッテリー挿抜口になっている。そして、前記上側カバープレート９を前記仕切板１７１上に組み付けたときに、前記バッテリー収納部６９が前記仕切板１７１上に位置するようになっている。
【００４１】
前記メイン基板１８１は、前記メモリーカード収納部６６上に重ね合わせた状態で取付けられている。前記メモリーカード収納部６６は、開口部６６ａが前記筐体８の第１の端面６５の略中央部に臨んで配置されている。前記メモリーカード収納部６６の一側部には前記バッテリー接触端子１１２が設けられている。前記バッテリー接触端子１１２は、前記バッテリー収納部６９の奥端側の開口部６９ｂに臨んでいる。そして、前記バッテリー収納部６９の開口部６９ａからバッテリー１１１を前記バッテリー収納部６９内に収納すると、該バッテリー１１１に設けた電源端子１１１ａが前記メモリーカード収納部６６の一側部に設けたバッテリー接触端子１１２に接触する。
【００４２】
前記ＡＦイルミネータ５と、ストロボ用の発光部６は、前記メモリーカード収納部６６と前記筐体の第３の端面６１との間に配置されている。また、前記コンデンサ１７９は、前記バッテリー収納部６９と前記筐体８の前記第３の端面６１との間に配置されている。
【００４３】
前記第２の部品収納空間１７５には、液晶パネル１８２が配置されている。前記液晶パネル１８２は、背面側が前記仕切板１７１上に支持されている。また、前記液晶パネル１８２の表示面は、前記筐体８の下側カバープレート１０の第２の主面５１に設けた透明な液晶表示窓５２を介して外部に表示される。
【００４４】
前記第３の部品収納空間１７６には、レンズユニット１８３が配置されている。前記レンズユニット１８３は、光学系を縦方向に配置し、プリズムを用いて光軸を折り曲げることで、光学ズームを装備した細長く薄いレンズが使用されている。前記レンズユニット１８３の一端側に撮像レンズ４が配置されている。そして、前記撮像レンズ４を前記筐体の第３の端面６１側、即ち前記ＡＦイルミネータ５の側方に位置させた状態で、前記レンズユニット１８３は、前記第３の部品収納空間１７６に収納されている。
【００４５】
前記レンズユニット１８３の一側部にはアイリス駆動部１８４が設けられていて、該アイリス駆動部１８４の少なくとも一部は、前記第１の部品収納空間１７４内に侵入する。前記アイリス駆動部１８４の少なくとも一部は、前記筐体８の第１の主面３側に変位（突出）していて、前記アイリス駆動部１８４の少なくとも一部の底面側には、図７に示すように、前記液晶パネル１８２の一側部を導入可能な凹部１８５が設けられている。そして、図１０に示すように、前記凹部１８５によって前記液晶パネル１８２を前記レンズユニット１８３側に、より接近させた状態で配置可能になっている。
【００４６】
図６に示すように、前記メイン基板１８１には、前記アイリス駆動部１８４の一部を受け入れる切欠部１８６が設けられている。
【００４７】
前記筐体８の第１の主面３側に変位した前記アイリス駆動部１８４の少なくとも一部は、図９に示すように、前記筐体８の第１の主面３に設けた突出部導入孔１８７に導入されて、該突出部導入孔１８７を介して前記筐体８の第１の主面３から突出している。そして、前記突出部導入孔１８７から突出している前記アイリス駆動部１８４の一部は、図１Ａ、図１Ｂに示すように、前記筐体８の第１の主面３の外面にスライド可能に取付けられたバリヤ７によって隠蔽されている。図６に示すように、前記メイン基板１８１は、複数のコネクタ１９１およびハーネス１９２を介して前記各部品に接続されている。
【００４８】
図１１は前記バリヤ７を取外した状態を示し、前記扁平な直方体形状の筐体２の第１の主面３の上端側の一隅部に臨んで撮像レンズ４が配置され、該撮像レンズ４の一側部にはＡＦイルミネータ５とフラッシュ用の発光部６が配置されている。
【００４９】
前記撮像レンズ４、ＡＦイルミネータ５、フラッシュ用の発光部６の下方にはベースプレート２１が取付けられている。前記ベースプレート２１には第１の開口部２２が設けられていて、該第１の開口部２２内に前記アイリス駆動部１８４の一部が収容されている。また、前記ベースプレート２１には第２の開口部２３が設けられていて、該第２の開口部２３内には前記バリヤ７が前記第１の位置に在るか、或いは前記第２の位置に在るかを検出するために前記筐体２内に設けられているバリヤ位置検出スイッチ（図示省略）を操作するためのスイッチ操作体２４が配置されている。また、前記ベースプレート２１の両側部には、前記第１,第２のバリヤスライドガイド部１５、１６を構成する一対の第１,第２のバリヤ係合体２５，２６が設けられている。
【００５０】
図１２の分解斜視図に示すように、前記ベースプレート２１には、前記第１,第２の開口部２２,２３の両側部に、前記第１,第２のバリヤ係合体２５，２６を取付けるための第１,第２のバリヤ係合体取付部３１,３２が設けられている。これら第１,第２のバリヤ係合体取付部３１,３２には、複数のボス部３３が設けられている。
【００５１】
前記スイッチ操作体２４は、板バネを略くの字状に折り曲げることにより形成されている。前記スイッチ操作体２４の一側部には、該スイッチ操作体２４を前記ベースプレート２３に取付けるための取付基部３４が設けられている。前記取付基部３４には前記第１のバリヤ係合体取付部３１に設けたボス部３３を挿入する複数のボス挿入孔３５が設けられている。
【００５２】
前記スイッチ操作体２４は、前記第２の開口部２３内に挿入した状態で前記取付基部３４に設けた複数のボス挿入孔３５に前記複数のボス部３３を挿入することにより前記第１のバリヤ係合体取付部３１に取付けられる。
【００５３】
また、前記第１のバリヤ係合体２５は、金属板を折り曲げることにより形成されている。前記第１のバリヤ係合体２５の一側部には、該第１のバリヤ係合体２５を前記ベースプレート２１に取付けるための取付基部４１が設けられている。前記取付基部４１には前記第１のバリヤ係合体取付部３１に設けたボス部３３を挿入する複数のボス挿入孔４２が設けられている。
【００５４】
そして、前述したように、前記第１のカバー係合体取付部３１に設けたボス部３３を前記第１のバリヤ係合体取付部３１の取付基部３４に設けたボス挿入孔３５に挿入したのち、これらボス部３３を前記取付基部４１に設けたボス挿入孔４２に挿入して、前記ボス部３３の先端部に所謂かしめ加工を施して拡径することにより、前記第１のバリア係合体２５は前記筐体２の第１の主面３との間にスイッチ操作体２６の取付基部３４を挟んだ状態で前記第１のバリヤ係合体取付部３１に取付けられる。なお、前記第１のバリヤ係合体２５の取付基部４１には複数の位置決めボス４３が設けられている。
【００５５】
前記位置決めボス４３は、前記第１のバリヤ係合体２５を前記第１のバリヤ係合体取付部３１に取付けたときに、前記ベースプレート２３に設けたボス挿入孔４４に嵌合して前記第１のバリヤ係合体２５の位置決めを行う。前記第１のバリヤ係合体２５の取付基部４１には前記トグルバネ１７の一端部を係止する第１のバネ係止部４５が設けられている。
【００５６】
また、前記第２のバリヤ係合体２６は、前記第１のバリヤ係合体２５と同様に金属板を折り曲げることにより形成されている。前記第２のバリヤ係合体２６の一側部には、該第２のバリヤ係合体２６を前記ベースプレート２３に取付けるための取付基部４６が設けられている。前記取付基部４６には前記第２のバリヤ係合体取付部３２に設けたボス部３３を挿入する複数のボス挿入孔４７が設けられている。
【００５７】
そして、前記第２のバリヤ係合体取付部３２に設けたボス部３３を前記取付基部４６に設けたボス挿入孔５２に挿入して、前記ボス部３３の先端部に所謂かしめ加工を施して拡径することにより、前記第２のバリヤ係合体２６は前記第２のバリヤ係合体取付部３２に取付けられる。なお、前記第２のバリヤ係合体２６の取付基部４６には位置決めボス４８が設けられている。前記位置決めボス４８は、前記第２のバリヤ係合体２６を前記第２のバリヤ係合体取付部３２に取付けたときに、該第２のバリヤ係合体取付部３２に設けた位置決めボス挿入孔４９に嵌合して前記第２のバリヤ係合体２６の位置決めを行う。なお、前記ベースプレート２１に設けた第１の開口部２２はアイリスカバーシート５０で塞がれて、前記第１の開口部２２から筐体２内への塵埃等の侵入が阻止される。また、図２Ａに示すように、前記筐体２の前記第１の主面３に対向する第２の主面５１には、液晶等の表示部５２と、モード切り替えスイッチ５３と、メニュー釦５４と、コントロール釦５５と、画面表示オンオフ釦５６と、スピーカー５７が設けられている。また、前記第１の主面３と前記第２の主面５１を結ぶ第１の端面（上端面）６１には、マイクロホン６２と、ズーム釦６３と、シャッター釦６４と、が設けられている。
（３）バリヤの構成、
図１２に示すように、前記バリヤ７は、枠状の内側体８１と、該枠状の内側体８１に取付けられて前記スイッチ操作体２６を押圧操作するスイッチ操作体押圧部８２を設けた金属板８３と、該金属板８３を取付けた前記内側体８１の外面に両面接着シート８４等で取付けられた外側体８５と、からなっている。
【００５８】
前記内側体８１には、略四角形の切欠窓部８６が設けられていて、該切欠窓部８６に臨んで前記金属板８３が取付けられる。前記金属板８２には前記スイッチ操作体押圧部８２が切り起こし形成されていると共に、前記第１のバリヤ係合体２５の取付基部４１に設けた第１のバネ係止部４５に一端部を係止された前記トグルバネ１７の他端部を係止する第２のバネ係止部８７を設けた舌片８８が切り起こし形成されている。
【００５９】
前記金属板８３の周縁部には複数のボス挿入孔８９が設けられていて、これらボス挿入孔８９に前記内側体８１の切欠窓部８６の周縁部に設けたボス９０を挿入し、これらボス９０の先端にかしめ加工を施して拡径することにより前記金属板８３は前記内側体８１に取付けられる。
【００６０】
また、前記内側体８１の四隅部には前記筐体２の第１の主面３に接触する第１〜第４のローラ１１〜１４が配置されていると共に、移動方向の両側部には、前記ベースプレート２１に取付けた第１,第２のバリヤ係合体２５，２６が係合して移動するレール状の第１,第２のバリヤ係合体係合部９１，９２が設けられている。
【００６１】
前記第１のバリヤ係合体係合部９１は、前記内側体８１の一側部に形成した第１の長孔９３の一側部に沿って形成されている。また、前記第２のバリヤ係合体係合部９２は、前記内側体８１の一側部に形成した第２の長孔９４の一側部に沿って形成されている。前記第１,第２のバリヤ係合体２７，２８と前記レール状の第１,第２のバリヤ係合体係合部９１，９２とにより、前記第１,第２のバリヤスライドガイド部１５、１６が構成される。
（４）ローラの構成、
図１３に示すように、前記第１〜第４のローラ１１〜１４は、円板状のローラ本体部９５と、該ローラ本体部９５の両側面から突出した回転中心軸９６を備えている。前記第１〜第４のローラ１１〜１４は、前記内側体８１の四隅部に設けた第１〜第４のローラ収容部９７に収容され、前記回転中心軸９６を中心にして回転自在になっている。
【００６２】
前記第１〜第４のローラ１１〜１４が回転自在に収容された前記第１〜第４のローラ収容部９７には側方から略コ字状のクリップ９８が取付けられて、前記第１〜第４のローラ１１〜１４が前記第１〜第４のローラ収容部９７から脱落するのを防止している。前記略コ字状のクリップ９８の対向する一対の辺９８ａには切欠窓９８ｂが設けられていて、該切欠窓９８ｂから前記円板状のローラ本体部９５の一部が突出している。
【００６３】
そして、前記内側体８１を前記筐体２の前記第１の主面３に重ね合わせると、前記第１〜第４のローラ１１〜１４が前記筐体２の前記第１の主面３に接触するようになっている。
（５）バリヤスライドガイド部の構成、
バリヤスライドガイド部は、文字通り前記バリヤ７の移動をガイドするものであり、図１４に示すように、前記バリヤ７の一側部に第１のバリヤスライドガイド部１５が配置され、他側部に第２のバリヤスライドガイド部１６が配置されている。
【００６４】
前記第１のバリヤスライドガイド部１５は、前記筐体２に設けた第１のバリヤ係合体２５を前記内側体８１に設けたレール状の第１のバリヤ係合体係合部９１に係合させることにより構成されている。また、前記第２のバリヤスライドガイド部１６は、前記筐体２に設けた第２のバリヤ係合体２６を前記内側体８１に設けたレール状の第２のバリヤ係合体係合部９２に係合させることにより構成されている。
【００６５】
前記第１のバリヤ係合体係合部９１は、前記内側体８１の一側部に形成した第１の長孔９３を介して前記第１のバリヤ係合体２５が重ね合わされた状態で係合されて、前記第１〜第４のローラ１１〜１４を筐体２の主面３に軽く押し付けている。また、前記第２のバリヤ係合体係合部９２は、前記内側体８１の他側部に形成した第２の長孔９４を介して前記第２のバリヤ係合体２８が重ね合わされた状態で係合されて、前記第１〜第４のローラ１１〜１４を筐体２の主面３に軽く押し付けている。そして、前記第１,第２の長孔９３,９４の一側部に沿って、前記バリヤ７は、前記撮像レンズを露出させる第１の位置または撮像レンズを隠蔽する第２の位置に移動させるようになっている。
【００６６】
図１４Ａに示すように、前記レール状の第１,第２のバリヤ係合体係合部９１，９２の長さ方向の一端側には、第１のストッパー１８が設けられていて、前記バリヤ７が前記第１の位置に移動したときに、前記第１のストッパー１８が前記第１,第２のバリヤ係合体２５,２６に当接して更なる移動が阻止される。また、図１４（Ｂ）に示すように、前記第１,第２の長孔９３,９４の長さ方向の他端側には第２のストッパー１９が設けられていて、前記バリヤ７が前記第２の位置に移動してきたときに、前記第１,第２のバリヤ係合体２５,２６が当接して更なる移動が阻止される。なお、前記第２のバリヤ係合体係合部９２の第１,第２のストッパー部１８,１９は、前記第２，第４のローラ１２，１４が前記第１〜第４のローラ収容部９７から脱落するのを防止している前記略コ字状のクリップ９８で構成されている。
（６）トグルバネの構成、
トグルバネ１７は、前記バリヤ７が前記第１の位置に在るときに前記第１,第２のバリヤ係合体２５,２６に第１のストッパー部１８に押し付けて前記バリヤ７を開放状態に維持し、前記バリヤ７が前記第２の位置に在るときに前記第１,第２のバリヤ係合体２５,２６に前記第２のストッパー部１９に押し付けて前記バリヤ７を閉塞状態に維持する。
【００６７】
図１５に示すように、前記トグルバネ１７は、コイル部１７ａと、該コイル部１７ａの一端から伸びる第１のアーム部１７ｂと、前記コイル部１７ａの他端から伸びる第２のアーム部１７ｃと、からなる所謂捻りコイルバネが使用される。
【００６８】
前記トグルバネ１７の第１のアーム部１７ｂは、前記第１のバリヤ係合体２５の取付基部４１に設けた第１のバネ係止部４５に回動可能に係止されている。また、前記トグルバネ１７の第２のアーム部１７ｃは、前記内側体８１に取付けた金属板８３（図１２参照）の切起片８８に設けられた第２のバネ係止部８７に回動可能に係止されている。
【００６９】
前記トグルバネ１７は、前記バリヤ７が前記第１の位置に在るときには、図１４Ａに示すように、前記第１,第２のバリヤ係合体２５,２６に第１のストッパー部１８を押し付けて前記バリヤ７を開放状態に維持する。そして、前記バリヤ７を第１の位置から第２の位置に移動させて行くと、前記トグルバネ１７のコイル部１７ａが回動（反転）し、前記バリヤ７が所定の位置まで移動してくると、前記トグルバネ１７のバネ力の作用方向が逆転して、図１４Ｂに示すように、前記第１,第２のバリヤ係合体２５,２６に第２のストッパー部１９を押し付けて前記バリヤ７を閉塞状態に維持する。
（７）メモリーカード収納部の蓋（メモリーカード蓋）の構成、
メモリーカード蓋６７は、メモリーカード収納部６６の開口部を開閉するものであり、図３１の断面図に示すように、蓋を閉じた状態において前記第１の主面３と前記第２の主面５１を結ぶ第２の端面（下端面）６５と略面一に重なる端面重合部（蓋本体部）１４１と、前記第２の主面５１に略面一に重なる主面重合部１４２と、を備えている。
【００７０】
前記モリーカード蓋６７は、蓋回動機構１４３により前記筐体２に取り付けられていて、前記メモリーカード収納部６６の開口部６６ａを閉塞する第１の位置（図３１）と、前記開口部６６ａを開放する第２の位置（図３３）との間で回動可能に前記筐体２に取り付けられている。
【００７１】
前記蓋回動機構１４３は、前記メモリーカード蓋６７の回動支点軸１４４と、前記前記回動支点軸１４４を前記筐体２に移動可能に取り付けている長溝状の軸受１４５と、前記メモリーカード蓋６７の開閉に伴う前記回動支点軸１４４の回転によって前記回動支点軸１４４を前記長溝状の軸受１４５に沿って移動させるラック１４６とピニオン１４７を備えている。
【００７２】
前記回動支点軸１４４は前記メモリーカード蓋６７に設けられ、前記長溝状の軸受１４５は筐体２に設けられている。前記ピニオン１４７は、前記回動支点軸１４４の外周面に設けられ、前記ラック１４６は、前記長溝状の軸受の１４５の軸移動方向に沿って設けられている。
【００７３】
前記長溝状の軸受１４５は、メモリーカード収納部６６へのメモリーカード１４８の挿入方向Ａ・排出方向Ｂに対し略平行に設けられていて、前記メモリーカード蓋６７を閉じると前記回動支点軸１４４が前記長溝状の軸受１４５内をメモリーカード１４８の挿入方向Ａに移動し、前記メモリーカード蓋６７を開くと前記回動支点軸１４４が前記長溝状の軸受１４５内をメモリーカード１４８の排出方向Ｂに移動する。
【００７４】
また、図３４に示すように、前記メモリーカード蓋６７を閉じたときに、前記回動支点軸１４４を前記長溝状の軸受１４５のメモリーカード１４８の挿入方向Ａの端部側に押し付け（図３１）、前記メモリーカード蓋６７を開いたときに前記回動支点軸１４４を前記長溝状の軸受１４５のメモリーカード１４８の排出方向Ｂの端部側に押し付ける（図３３）ためのクリック機構１５１を備えている。
【００７５】
前記クリック機構１５１は、前記メモリーカード蓋６７に設けられていて該メモリーカード蓋６７の回動に伴って回動するクリック軸１５２と、前記筐体２に設けられていて前記クリック軸１５２の周面に接触しているバネ材（板バネ）１５３と、で構成されている。前記クリック軸１５２の周面には、前記バネ材１５３で前記回動支点軸１４４を前記長溝状の軸受１４５のメモリーカード１４８の挿入方向Ａの端部側に押し付ける方向の付勢力を発生させるための第１のバネ接触面１５４と、前記回動支点軸１４４を前記長溝状の軸受１４５のメモリーカード１４８の排出方向Ｂの端部側に押し付ける方向の付勢力を発生させるための第２のバネ接触面１５５と、が前記クリック軸１５２の回動方向に連続して設けられている。
【００７６】
第１のバネ接触面１５４と第２のバネ接触面１５５の境界部１５６は、前記バネ材１５３に前記クリック軸１５２の回動力を発生させない所謂ニュートラル位置である。前記境界部１５６の前記クリック軸１５２の回動軸心Ｃからの半径方向の距離は、前記クリック軸１５２の回動軸心Ｃから前記第１，第２のバネ接触面１５４，１５５までの半径方向の距離よりも大に設定されている。なお、図３７は、メモリーカード蓋６７を開いた状態の斜視図であり、前記蓋回動機構１４３はメモリーカード蓋６７の両側部に一対配置され、前記クリック機構１５１は前記蓋回動機構１４３の内側に一対配置されている。
【００７７】
実施例のメモリーカード蓋６７は、上述のような構成であって蓋を閉じた状態においては、図３１に示すように、メモリーカード蓋６７の外面は、筐体２の外面と略面一の状態になる。そして、メモリーカード蓋６７を開くと、該メモリーカード蓋６７は、徐々に筐体２から突出していき、全開状態にすると、図３３に示すように、前記メモリーカード蓋６７は、主面重合部１４２の高さだけ前記筐体２の第２の主面５１から突出し、前記端面重合部（蓋本体部）１４１が前記第２の主面５１に対して平行状態になる。
（８）バッテリー収納部の蓋（バッテリー蓋）の構成、
図１６に示すように、前記第１の主面３と前記第２の主面５１を結ぶ端面６８には、前記バッテリー収納部６９の開口部６９ａを開閉するバッテリー蓋７０と、前記バッテリー収納部６９へのバッテリーの挿脱を許容するバッテリーリリースレバー７１と、前記バッテリー蓋７０を開いたときに該バッテリー蓋７０が重なるストラップ金具７２と、マルチコネクター接続端子７３と、を備えている。前記バッテリーリリースレバー７１は、前記バッテリー蓋７０の長さ方向の一端部の外側に並べた状態で配置されている。
【００７８】
前記バッテリー蓋７０は、軸１０１により前記筐体２に回動可能に取り付けられていて、前記軸１０１を中心にして時計方向に回動させると、図１６に示すように、前記筐体２の端面６８上に重なって、前記開口部６９ａを閉じる。また、図１６に示す状態から反時計方向に略１００°回動させると、図１７に示すように、前記バッテリー蓋７０は、開いた状態になり前記ストラップ金具７２に重なって更なる回動を規制されて前記ストラップ金具７２によって保護される。
【００７９】
図１８に示すように、前記軸１０１は弾性を有する金属棒によって形成されていて、その一端側には前記バッテリー蓋７０の閉塞時においては該バッテリー蓋７０を前記筐体２の端面６８側に押し付け、また、前記バッテリー蓋７０の開放時においては該バッテリー蓋７０を前記ストラップ金具７２に押し付けるバネ部１０２が設けられている。前記バネ部１０２は、前記軸１０１の一端側を折り曲げることにより該軸１０１と一体に形成されていて、図２０Ａ，図２０Ｂ， 図２０Ｃに示すように筐体２側に設けたバネ当接面１０２に接触している。
【００８０】
前記バッテリー蓋７０の閉塞時においては、図２０Ａに示すように、前記バネ部１０２は、筐体２側に設けたバネ当接面１０３に接触して、前記軸１０１およびバッテリー蓋７０に矢印Ａ方向（時計方向）の回動力を付与して前記バッテリー蓋７０を前記筐体２の端面６８側に押し付ける。図２０Ａに示す状態から前記バッテリー蓋７０を開放方向（矢印Ｂ方向）に回動させると、前記バネ部１０２は前記バネ当接面１０３で押されて変形して行き、図２０Ｂに示すように、前記バッテリー蓋７０が所定角度、例えば４５°開いたときに前記バネ部１０２は最も変形し、前記軸１０１およびバッテリー蓋７０に回動力を付与しない中立位置にくる。図２０Ｂに示す状態から更に前記バッテリー蓋７０を開放方向（矢印Ｂ方向）に回動させると、今度は前記バネ部１０２によって前記バッテリー蓋７０を開放させる方向（矢印Ｂ方向）のバネ力が生じ、前記バッテリー蓋７０は、図２０Ｃに示すように、前記ストラップ金具７２に押し付けられて、前記筐体２の開口部６９ａを開放した状態に維持される。
（９）バッテリーリリースレバーの構成、
前記バッテリーリリースレバー７１は、図１６、図１７に示すように、一端部に設けたバッテリー係合部１０６が前記バッテリー収納部６９の開口部６９ａの一部を塞ぐ位置と前記開口部６９ａを開放する位置との間でスライド可能に前記第１の端面６８に設けたレバーガイド部１０７に取付けられている。前記バッテリーリリースレバー７１は、底面側に配置されているバネ材１０８により前記バッテリー収納部６９の開口部６９ａの一部を塞ぐ位置に付勢されている。前記バッテリー係合部１０６の上面は傾斜状のバッテリー押出面１０６ａになっている。
【００８１】
図２１に示すように、前記バッテリーリリースレバー７１を前記バネ材１０８のバネ力に抗してバッテリー１１１を挿入するのに支障のない位置、即ち前記開口部６９ａを開放する位置まで押し戻した状態でバッテリー１１１をバッテリー収納部６９に挿入する。バッテリー１１１をバッテリー収納部６９に挿入すると、前記バッテリー１１１の先端面で、前記バッテリー排出用のバネ１６１が押されて撓んで蓄勢される。そして、バッテリー１１１の先端面に設けた端子が前記バッテリー収納部６９の奥端側に設けたバッテリー端子に接触する。
【００８２】
バッテリー１１１をバッテリー収納部６９に収納したのち、前記バッテリーリリースレバー７１の押し戻しを解除すると、該バッテリーリリースレバー７１は、前記バネ材１０８のバネ力で自動的に前記バッテリー収納部６９の開口部６９ａの一部を塞ぐ位置まで復帰して、バッテリー１１１がバッテリー収納部６９から抜け出るのを防止する。そして、図２２に示すように、前記バッテリー蓋７０を閉じてバッテリー１１１の挿入作業が終了する。
【００８３】
前記バッテリー蓋７０を閉じた侭の状態で、前記バッテリーリリースレバー７１を押し戻すことが可能であると、前記バッテリーリリースレバー７１が誤って押し戻されたような場合に、バッテリー１１１がバッテリー収納部６９の奥端部に設けられているバッテリー接触端子１１２のバネ力および前記バッテリー排出用のバネのバネ力によりバッテリー収納部６９から押し出されてしまうことがある。押し出される量が僅かであると、前記バッテリー蓋７０の存在によって、バッテリー１１１がバッテリー収納部６９内に完全に収納されていないことが明確にならない場合がある。
【００８４】
そこで、図２１に示すように、前記バッテリーリリースレバー７１に蓋係合部１１３を設ける一方、前記バッテリー蓋７０にリリースレバー係合部１１４を設け、前記バッテリー蓋７０を閉じた状態にすると、図２３に示すように、前記蓋係合部１１３の側方に前記バッテリーリリースレバー係合部１１４が位置し、前記バッテリーリリースレバー７１を押し戻し方向に移動させようとすると、前記蓋係合部１１３が前記バッテリーリリースレバー係合部１１４に係合して前記バッテリー蓋７０を閉じた侭の状態で前記バッテリーリリースレバー７１が押し戻されるのを防止するようになっている。
【００８５】
前記バッテリー収納部６９からのバッテリー１１１の取り出しは、前記バッテリー蓋７０を開いた後に、前記バッテリーリリースレバー７１を前記バネ材１０８の付勢力に抗して押し戻すことによりなされる。前記バッテリーリリースレバー７１を押し戻して、バッテリー１１１の押さえを解除すると、図２４に示すように、バッテリー１１１は前記バッテリー接触端子１１２のバネ力によりバッテリー収納部６９から押し出される。
【００８６】
前記バッテリー接触端子１１２のバネ力によりバッテリー１１１が押し出された後に、前記バッテリーリリースレバー７１をバッテリー１１１に移動させれば、図２５に示すように、前記バッテリーリリースレバー７１のバッテリー係合部１０６の上面の傾斜状のバッテリー押出面１０６ａで前記バッテリー１１１のプレート１１１ａに設けた傾斜面１１１ｂを押して前記バッテリー１１１を更にバッテリー収納部６９から押し出す。
（１０）ストラップ金具の構成、
ストラップ金具７２は、落下防止のために手首用のリストストラップや首に掛けるネックストラップ等を取り付けるための金具であり、撮影時に親指等を当てることにより筐体２を保持し易くする働きもする。
【００８７】
前記ストラップ金具７２は、図２及び図１６に示すように、前記筐体２の端面６１の前記第２の主面５１側の側縁に沿って起立させた状態に一体的に形成されていて、前記第２の主面５１側の第１の面７２ａと反対側の第２の面７２ｂが前記バッテリー蓋７０の受面になっている。前記第２の面７２ｂは、前記筐体２の端面６１またはバッテリー収納部６９の開口部６９ａに対して少なくとも９０°よりも大きな傾斜角度θで形成されている。また、前記第１の面７２ａには、前記マルチコネクター接続端子７３に、次に説明するマルチコネクター１２１を接続したときに、該マルチコネクター１２１が前記マルチコネクター接続端子７３から抜けないように、該マルチコネクター１２１の係合部１２７が係合する溝状の被係合部１１５が設けられている。また、ストラップ金具７２には、ストラップを取付けるための孔１１６が設けられている。
【００８８】
図２７は、前記マルチコネクター接続端子７３に接続するマルチコネクター１２１を示す。前記マルチコネクター１２１は、ＤＣ入力端子１２２と、ＵＳＶ端子１２３と、Ａ／Ｖ出力端子１２４を第１の側面１２１ａに備え、前記マルチコネクター接続端子７３に挿入する端子１２５と、前記ストラップ金具７２を挿入するストラップ金具挿入凹部１２６を第２の側面１２１ｂに備え、前記ストラップ金具挿入凹部１２６の内面に臨んで前記ストラップ金具７２の溝状の被係合部１１５に係合する係合部１２７を備え、前記係合部１２７の前記被係合部１１５からの係合解除操作を行う係合解除釦１２８を第３の側面１２１ｃに備えている。
【００８９】
そして、図２７に示すように、カメラ１の略真横から前記マルチコネクター接続端子７３に端子１２５を挿入すれば、図２８に示すように、前記ストラップ金具７２が自ずと前記ストラップ金具挿入凹部１２６内に挿入されるとともに、前記係合部１２７が前記被係合部１１５に係合して、前記マルチコネクター１２１をカメラ１側にロックする。
【００９０】
図２９は、前記マルチコネクター１２１の要部の断面図である。前記爪状の係合部１２７は、軸１３１を中心に回動可能になっていて、バネ１３２によって前記ストラップ金具挿入凹部１２６内に突出している。そして、前記ストラップ金具７２を前記ストラップ金具挿入凹部１２６に挿入すると、該ストラップ金具７２の先端面７２ａで前記係合部１２７の先端の傾斜面１２７ａが押されて前記係合部１２７は、前記バネ１３２の付勢力に抗して逃げ方向に回動する。前記ストラップ金具７２が前記ストラップ金具挿入凹部１２６内に完全に挿入されて、前記ストラップ金具７２の先端面７２ａによる前記係合部１２７の先端の傾斜面１２７ａの押圧が解除されると、前記係合部１２７は、前記バネ１２９の付勢力で自動的に回動して前記溝状の被係合部１１５に係合する。
【００９１】
前記マルチコネクター１２１をカメラ１から外す場合には、前記係合解除釦１２８を押圧すれば、図３０に示すように、前記係合部１２７は、前記バネ１２９の付勢力に抗して逃げ方向に回動して、前記溝状の被係合部１１５との係合が外れてカメラ１から取外し可能な状態になる。
【００９２】
上述のように、前記マルチコネクター１２１が前記ストラップ金具７２と係合すうように構成したので、通常、このようにマルチコネクターとストラップ金具を係合させることのない構造のものと比較して、例えば前記マルチコネクター１２１のコードが引っ張られたりして強い力が掛かっても、直接、コネクター接続部に前記力が掛からなくなり、コネクターや端子を保護することができるという効果がある。
なお、図１、図２等の撮像装置の立体図に対して、図１２〜図２６等は、撮像装置の各部を平面的に見たものであり、曲面や傾斜面、円筒面等については曲率半径や傾斜角度等に若干の相違があったとしてもそれは作図上のものであって同一符合部分は同一の部分を示す。また、図１、図２等の撮像装置の立体図と、図１６、図１７等に示す撮像装置の立体図との間において、曲面や傾斜面、円筒面等についても曲率半径や傾斜角度等に若干の相違があったとしてもこれも作図上のものである。また、断面図において、一部、ハッチング線を省略した。
（１１）他の実施例
上記実施例においては、メモリーカード収納部６６をカメラ本体部２の中央部に設け、前記カメラ本体部２の下端面６５に設けた開口部６６ａからメモリーカード１４８の出し入れを行うと共に、前記メモリーカード収納部６６と直交する方向にバッテリー収納部６９を設け、前記カメラ本体部２の側端面６８に設けた開口部６９ａからバッテリー１１１の出し入れを行う構成にしたが、バッテリー収納部６９をカメラ本体部２の中央部に設け、前記カメラ本体部２の下端面６５に設けた開口部６９ａからバッテリー１１１を出し入れし、前記バッテリー収納部６９と直交する方向にメモリーカード収納部６６を設け、前記カメラ本体部２の側端面６８に設けた開口部６６ａからメモリーカード１４８の出し入れを行う構成にしてもよい。また、上記実施例では、電子機器としてデジタルカメラを例にとって説明したが、本発明を適用する電子機器は、デジタルカメラ等の撮像装置のほか、例えば、携帯電話機、携帯型のゲーム機等のメノリーカードとバッテリーを使用する小型の電子機器に広く適用される。
【図面の簡単な説明】
【００９３】
【図１Ａ】バリヤを第１の位置（開放位置）に移動させた状態の斜視図。
【図１Ｂ】バリヤを第２の位置（閉塞位置）に移動させた状態の斜視図。
【図２Ａ】カメラを背面側から見た斜視図。
【図２Ｂ】カメラを底面側から見た斜視図。
【図３】筐体の分解斜視図。
【図４】筐体の分解斜視図。
【図５】組立てた状態の筐体の断面図。
【図６】筐体と各種部品の分解斜視図。
【図７】仕切板と液晶パネルおよび光学ユニットの関係を示す斜視図。
【図８】仕切板に各種部品を組み付けた状態の斜視図。
【図９】仕切板に各種部品を組み付けた状態の斜視図。
【図１０】仕切板に各種部品を組み付けた筐体の断面図。
【図１１】バリヤを取外した状態の斜視図。
【図１２】バリヤの分解斜視図。
【図１３】ローラの取付けを示す斜視図。
【図１４Ａ】トグルバネの作用を示す説明図。
【図１４Ｂ】トグルバネの作用を示す説明図。
【図１５】トグルバネの説明図。
【図１６】バッテリー蓋を閉じた状態の斜視図。
【図１７】バッテリー蓋を開いた状態の斜視図。
【図１８】バッテリー蓋と軸を示す斜視図。
【図１９】バッテリー蓋に軸を取付けた状態の正面図。
【図２０Ａ】軸の一端部に設けたバネ部の作用を示す説明図。
【図２０Ｂ】軸の一端部に設けたバネ部の作用を示す説明図。
【図２０Ｃ】軸の一端部に設けたバネ部の作用を示す説明図。
【図２１】バッテリー蓋を開いてバッテリーを収納する前の状態を示す斜視図。
【図２２】バッテリーを収納しバッテリー蓋を閉じた状態を示す斜視図。
【図２３】バッテリーリリースレバーが押し戻せなくなった状態を示す説明図。
【図２４】バッテリーが押出された状態の説明図。
【図２５】バッテリーリリースレバーでバッテリーを押出す状態を示す説明図。
【図２６】ストラップ金具の側面図。
【図２７】カメラにマルチコネクターを取付ける前の状態の斜視図。
【図２８】カメラにマルチコネクターを取付けた状態の斜視図。
【図２９】マルチコネクターがストラップ金具にロックされている状態の断面図。
【図３０】ロックが解除された状態の断面図。
【図３１】メモリーカード蓋を閉じた状態の蓋回動機構の断面図。
【図３２】メモリーカード蓋を半開きした状態の蓋回動機構の断面図。
【図３３】メモリーカード蓋を開いた状態の蓋回動機構の断面図。
【図３４】メモリーカード蓋を閉じた状態のクリック機構の断面図。
【図３５】メモリーカード蓋を半開きした状態のクリック機構の断面図。
【図３６】メモリーカード蓋を開いた状態のクリック機構の断面図。
【図３７】メモリーカード蓋を開いた状態の斜視図。
【符号の説明】
【００９４】
１…デジタルカメラ、２…カメラ本体部、３…第１の主面、４…撮像レンズ、８…筐体、９…上側カバープレート、１０…下側カバープレート、６５…筐体の第１の端面（カメラ通常使用時における下端面）、６６…メモリーカード収納部、６６ａ…開口部、６８…筐体の第２の端面（カメラ通常使用時における右端面）、６９…バッテリー収納部、６９ａ…開口部、７０…バッテリー蓋、７２…ストラップ金具、１７１…仕切板、、１７４…第１の部品収納空間、１７５…第２の部品収納空間、１７６…第３の部品収納空間、１７９…コンデンサ、１８１…メイン基板、１８２…液晶パネル、１８３…レンズユニット、１８４…アイリス駆動部、１８５…凹部、１８６…切欠部、１８７…突出部挿入孔、１９１…コネクタ、１９２…ハーネス。
【図１Ａ】
2006222599.tif 000003
【図１Ｂ】
2006222599.tif 000004
【図２Ａ】
2006222599.tif 000005
【図２Ｂ】
2006222599.tif 000006
【図３】
2006222599.tif 000007
【図４】
2006222599.tif 000008
【図５】
2006222599.tif 000009
【図６】
2006222599.tif 000010
【図７】
2006222599.tif 000011
【図８】
2006222599.tif 000012
【図９】
2006222599.tif 000013
【図１０】
2006222599.tif 000014
【図１１】
2006222599.tif 000015
【図１２】
2006222599.tif 000016
【図１３】
2006222599.tif 000017
【図１４Ａ】
2006222599.tif 000018
【図１４Ｂ】
2006222599.tif 000019
【図１５】
2006222599.tif 000020
【図１６】
2006222599.tif 000021
【図１７】
2006222599.tif 000022
【図１８】
2006222599.tif 000023
【図１９】
2006222599.tif 000024
【図２０Ａ】
2006222599.tif 000025
【図２０Ｂ】
2006222599.tif 000026
【図２０Ｃ】
2006222599.tif 000027
【図２１】
2006222599.tif 000028
【図２２】
2006222599.tif 000029
【図２３】
2006222599.tif 000030
【図２４】
2006222599.tif 000031
【図２５】
2006222599.tif 000032
【図２６】
2006222599.tif 000033
【図２７】
2006222599.tif 000034
【図２８】
2006222599.tif 000035
【図２９】
2006222599.tif 000036
【図３０】
2006222599.tif 000037
【図３１】
2006222599.tif 000038
【図３２】
2006222599.tif 000039
【図３３】
2006222599.tif 000040
【図３４】
2006222599.tif 000041
【図３５】
2006222599.tif 000042
【図３６】
2006222599.tif 000043
【図３７】
2006222599.tif 000044
【手続補正書】
【提出日】平成18年3月10日(2006.3.10)
【手続補正１】
【補正対象書類名】特許請求の範囲
【補正対象項目名】請求項７
【補正方法】変更
【補正の内容】
【請求項７】
前記コンデンサは、前記バッテリー収納部と前記筐体の第１の端面に対向する第３の端面との間に配置され、前記ＡＦイルミネータおよびフラッシュ用の発光部は、前記記録媒体収納部と前記筐体の第３の端面との間に配置されていることを特徴とする請求項６に記載の電子機器。
【手続補正２】
【補正対象書類名】明細書
【補正対象項目名】全文
【補正方法】変更
【補正の内容】
【発明の詳細な説明】
【技術分野】
【０００１】
本発明は、メモリーカード等の記録媒体とバッテリーを使用するデジタルカメラや携帯式ゲーム機等の電子機器に関するものである。
【背景技術】
【０００２】
前記メモリーカード等の記録媒体（以下、メモリーカードと称する）とバッテリーを使用するデジタルカメラや携帯式ゲーム機等の電子機器は、当然のことながらメモリーカードを収納する記録媒体収納部（以下、メモリーカード収納部と称する）と、バッテリーを収納するバッテリー収納部と、を備えている。そして、前記メモリーカード収納部にメモリーカードを収納し、前記バッテリー収納部内にバッテリーを収納するようになっている。（例えば、特許文献１）
【特許文献１】特開平０６−２７６４１８号公報
【発明の開示】
【発明が解決しようとする課題】
【０００３】
ところで、前記従来の電子機器は、筐体内にメモリーカード収納部とバッテリー収納部を設けるという性質上、これらメモリーカード収納部とバッテリー収納部に多くのスペースを取られるために、筐体を小型化、薄肉化（カード化）する上での大きな障害になっていた。
【０００４】
本発明の目的は、メモリーカード収納部やバッテリー収納部、配線基板等の配置に工夫を凝らすことにより、筐体を小型化、薄肉化（カード化）すると共に、電子機器の使い勝手を向上させることにある。
【課題を解決するための手段】
【０００５】
扁平な筐体の内部にメモリーカード収納部とバッテリー収納部を備えた電子機器において、前記メモリーカード収納部又はバッテリー収納部の何れか一方の収納部を、前記筐体の略中央部に配置し、他方の収納部を、前記筐体の略中央部に配置された収納部の側部に並べて配置し、前記筐体の略中央部に配置された収納部の開口部を、前記筐体の第１の端面に設け、他方の収納部の開口部を、前記筐体の第１の端面に連続する第２の端面に設けた。特に、メモリーカード収納部を筐体の略中央部に配置し、その側部にバッテリー収納部を配置した。また、前記メモリーカード収納部に重ね合わせてメイン基板を配置した。
【０００６】
前記メイン基板の一側部で、かつ前記メモリーカード収納部と前記バッテリー収納部の間に、前記バッテリー収納部に収納されたバッテリーの端子が接触するバッテリー接触端子を設けた。
【０００７】
前記筐体内を、仕切板によって、該仕切板と前記筐体の第１の主面との間に位置する第１の部品収納空間と、前記仕切板と前記筐体の第２の主面との間に位置する第２の部品収納空間と、前記仕切板の存在しない第３の部品収納空間と、に仕切った。
【０００８】
前記第１の部品収納空間内に、前記メモリーカード収納部とバッテリー収納部およびメイン基板を配置した。更に、前記第１の部品収納空間内に、ストロボユニットを構成するコンデンサと、ＡＦイルミネータと、フラッシュ用の発光部と、を配置した。
【０００９】
前記コンデンサを、前記バッテリー収納部と前記筐体の第１の端面に対向する第３の端面との間に配置し、前記ＡＦイルミネータおよびフラッシュ用の発光部を、前記メモリーカード収納部と前記筐体の第３の端面との間に配置した。前記第２の部品収納空間に、液晶パネルを配置した。前記第３の部品収納空間に、レンズユニットを配置した。
【００１０】
前記レンズユニットを構成する撮像レンズを、前記フラッシュ用の発光部およびＡＦイルミネータの側方に並べて配置した。前記レンズユニットの一側部にアイリス駆動部を設け、該アイリス駆動部の少なくとも一部を、前記第１の部品収納空間内に侵入させた。
【００１１】
前記メイン基板および前記メモリーカード収納部に、前記アイリス駆動部の少なくとも一部を受け入れる切欠部を設けた。前記アイリス駆動部を、前記レンズユニットに対して前記筐体の第１の主面側に突出するように変位させて、前記アイリス駆動部の下部に前記液晶パネルの一側部を導入するパネル受部を設けた。
【００１２】
前記筐体の第１の主面に、前記アイリス駆動部の前記第１の主面側への変位部（突出部）を導入する突出部導入孔を設けた。
【００１３】
前記仕切板の一端部側を前記筐体の第２の端面側に位置決め保持し、他端部側を一対のアーム部を介して前記筐体の第４の端面側に位置決め保持した。
【００１４】
前記バッテリー収納部の開口部を設けた前記筐体の第２の端面の外面に、ストラップ金具を設けた。前記筐体の第２の端面と前記ストラップ金具をアルミダイカストにより一体に形成した。
【発明の効果】
【００１５】
前記メモリーカード収納部又はバッテリー収納部の何れか一方の収納部を、前記筐体の略中央部に配置し、他方の収納部を、前記筐体の略中央部に配置された収納部の側部に並べて配置し、前記筐体の略中央部に配置された収納部の開口部を、前記筐体の第１の端面に設け、他方の収納部の開口部を、前記筐体の第１の端面に連続する第２の端面に設けたので、同一の端面に複数の開口部が並存するのを防止する共に、メモリーカードとバッテリーを略９０°角度の異なる方向からそれぞれの収納部に挿入することができる。
【００１６】
メモリーカードとバッテリーの重量を比較した場合に一般的にバッテリーの方が重い。従って、バッテリー収納部を、筐体の略中央部に配置して、該収納部の開口部を、前記筐体の第１の端面としての下端面に設けた場合には、バッテリーが自重によりバッテリー収納部から抜け落ちる危険性がある。そこで、バッテリーを前記筐体の第２の端面としての筐体の側端面に設けた開口部から挿抜することによりバッテリーが自重で前記開口部から抜け落ちるのを防止すると共に、バッテリーよりも軽量のメモリーカードを筐体の中央部に設けたメモリーカード収納部に収納して、メモリーカードが自重により開口部から抜け落ちる危険性を少なくした。
【００１７】
また、前記筐体の略中央部に設けた収納部上に重ね合わせてメイン基板を設けたので、メイン基板も自ずと筐体の略中央部に配置された状態になって、該メイン基板とその周縁部に配置されている各種部品との接続が容易になる。
【００１８】
また、前記メイン基板の一側部で、かつメモリーカード収納部と前記バッテリー収納部の間にバッテリー接触端子を配置することにより、前記バッテリー収納部にバッテリーを挿入したときに、該バッテリーの先端面に設けた端子を前記メイン基板の一側部に設けたバッテリー接触端子に接触させることができる。
【００１９】
前記筐体内を、仕切板によって、該仕切板と前記筐体の第１の主面との間に位置する第１の部品収納空間と、前記仕切板と前記筐体の第２の主面との間に位置する第２の部品収納空間と、前記仕切板の存在しない第３の部品収納空間と、に仕切ったので、これら第１〜第３の部品収納空間に、それぞれ各種部品を整理して配置することができる。
【００２０】
前記第１の部品収納空間内に、前記メモリーカード収納部と、バッテリー収納部と、メイン基板と、ストロボユニットと、を配置したので、前記第１の部品収納空間内において、前記メイン基板とストロボユニット等を接続することができる。特に、前記バッテリー収納部と前記筐体の第１の端面に対向する第３の端面との間の空きスペースを利用して前記ストロボユニットのコンデンサを配置し、前記バッテリー収納部と前記筐体の第１の端面に対向する第３の端面との間の空きスペースを利用して前記ストロボユニットを構成するＡＦイルミネータおよびフラッシュ用の発光部を配置することにより、狭い筐体内を無駄なスペースを発生させることなく、前記各種部品等を効果的に配置することができる。また、前記第２の部品収納空間に、液晶パネルを配置したので、該液晶パネルの背面（底面）側が前記仕切板で支持されて、前記液晶パネルの表面側が押されたような場合でも液晶パネルが変形するのを防止する。
【００２１】
前述したように、前記仕切板を境にして、該仕切板の一面側に位置する第１の部品収納空間にメモリーカード収納部、バッテリー収納部、メイン基板等を配置し、前記仕切板の他面側に位置する第２の部品収納空間に液晶パネルを配置し、前記第３の部品収納空間にレンズユニットを配置した。前記第３の部品収納空間は、仕切板が存在せず、前記筐体の第１の主面と第２の主面の間の隙間がもっとも大になるので、この第３の部品収納空間内に、筐体内に収納される各種部品のうち最も肉厚が大きいレンズユニットを配置することが可能になる。そして、前記液晶パネルとレンズユニットが非重合状態に配置されることになる。
【００２２】
前記レンズユニットの一側部から突出したアイリス駆動部の少なくとも一部を、前記第１の部品収納空間内に侵入させた。前記レンズユニットにはアイリス駆動部が必要になる。前記アイリス駆動部は、その性質上、前記レンズユニットよりも幅広になる。前記アイリス駆動部の幅に合わせて前記レンズユニットの幅を形成すると前記レンズユニットの幅全体が大になる。そこで、前記アイリス駆動部の少なくとも一部を前記レンズユニットの一側部から突出させて、前記第１の部品収納空間内に侵入させる構成にすることにより、前記レンズユニット全体の幅をアイリス駆動部の幅に合わせて形成する必要性をなくした。一方、前記メイン基板および前記メモリーカード収納部に、前記レンズユニットの一側部から突出したアイリス駆動部の少なくとも一部を受け入れる切欠部を設け、該切欠部内に前記アイリス駆動部を導入して、前記メイン基板および前記メモリーカード収納部と、前記レンズユニットを可能な限り接近させて配置することを可能にした。
【００２３】
また、前記アイリス駆動部を、前記レンズユニットに対して前記筐体の第１の主面側に突出するように変位させて、前記アイリス駆動部の下部に前記液晶パネルの一側部を導入するパネル受部を設け、該パネル受部に前記液晶パネルの一側部を導入して、前記液晶パネルと前記レンズユニット可能な限り接近させて配置することを可能にした。また、前記筐体の第１の主面に、前記アイリス駆動部の前記第１の主面側への変位部（突出部）を導入する突出部導入孔を設け、該突出部導入孔内に前記第１の主面側への変位部（突出部）を導入して、該変位部を前記突出部導入孔を介して前記第１の主面の外部に突出させることにより、筐体全体の肉厚が厚くなるのを防止した。
【００２４】
前記仕切板の一端部側を前記筐体の第２の端面側に位置決め保持し、他端部側を一対のアーム部を介して前記筐体の第４の端面側に位置決め保持することにより、前記仕切板が前記筐体の第１の主面側或いは前記第１の主面側に撓むなどして、前記第１の部品収納空間や前記第２の部品収納空間の容積が変化するのを防止した。また、前記バッテリー収納部の開口部を設けた前記筐体の第２の端面の外面に、ストラップを取付けるストラップ金具を設けることにより、前記ストラップ金具を所謂グリップとして使用し、カメラ本体部を把持し易いものにすると共に、前記バッテリー収納部の開口部を開閉するバッテリー蓋を開いたときに、該バッテリー蓋を前記ストラップ金具に当接させて、バッテリー蓋の開き角度を規定し、かつバッテリー蓋を保護した。
【００２５】
また、前記筐体の第２の端面と前記ストラップ金具をアルミダイカストにより一体に形成することにより、前記筐体の第２の端面に前記ストラップ金具を組み付ける面倒を無くすと共に、前記ストラップ金具の肉厚や形状、例えばストラップ金具の根元部の肉厚を厚くし、先端側に行くに従って徐々に肉厚を薄くしたりすることも容易にできる。
【発明を実施するための最良の形態】
【００２６】
以下、本発明の電子機器を、（１）電子機器全体の概略構成、（２）カメラ本体部の構成、（３）バリヤの構成、（４）ローラの構成、（５）バリヤスライドガイド部の構成、（６）トグルバネの構成、（７）メモリーカード収納部の蓋の構成、（８）バッテリー収納部の蓋の構成、（９）バッテリーリリースレバーの構成、（１０）ストラップ金具の構成、（１１）他の実施例、の順に説明する。
（１）電子機器全体の概略構成、
図１Ａ、図１Ｂは本発明の電子機器としてのデジタルカメラを第１の主面（正面）側から見た斜視図、図２は本発明のデジタルカメラを第２の主面（裏面）側から見た斜視図である。
【００２７】
前記デジタルカメラ１は、前記扁平な直方体形状のカメラ本体部２の第１の主面３に臨んで撮像レンズ４と、オートフォーカス用の補助光を発光させるためのＡＦイルミネータ５と、フラッシュ用の発光部６が配置されていて、図１Ａに示す前記撮像レンズ４、ＡＦイルミネータ５、フラッシュ用の発光部６を露出させる第１の位置と、図１Ｂに示す前記撮像レンズ４、ＡＦイルミネータ５、フラッシュ用の発光部６を隠蔽する第２の位置の間で移動可能なバリヤ（レンズカバー）７を備えている。前記カメラ本体部２の第１の主面３からは、前記カメラ本体部２に収容したアイリス駆動機構１８４の一部が突出している。
【００２８】
図１Ａに示すように、前記バリヤ７が前記第１の位置に在るときに該バリヤ７で隠蔽される位置で、かつ図１Ｂに示すように、前記バリヤ７が前記第２の位置に在るときにも該バリヤ７で隠蔽される位置に前記アイリス駆動機構１８４の一部が突出している。
【００２９】
前記バリヤ７は、略矩形状に形成されていて、四隅部には、前記カメラ本体部２の第１の主面３に接触する第１〜第４のローラ１１〜１４が設けられていると共に、移動方向の両側部には一対の第１,第２のバリヤスライドガイド部１５、１６が配置されている。そして、前記バリヤ７は、前記第１〜第４のローラ１１〜１４と第１,第２のバリヤスライドガイド部１５、１６とによって、前記カメラ本体部２の第１の主面３上を前記第１の位置と前記第２の位置の相互で移動するようになっている。
【００３０】
前記第１のバリヤスライドガイド部１５は、後にカメラ本体部の構成の項で詳しく説明するように、カメラ本体部２側に設けた第１のバリヤ係合体２５と、バリヤ側に設けられていて前記第１のバリヤ係合体２５がスライド可能に重合するレール状の第１のバリヤ係合体係合部９１と、からなっている。また、前記第２のバリヤスライドガイド部１６は、前記第１のバリヤスライドガイド部１５と同様に、前記カメラ本体部２側に設けた第２のバリヤ係合体２６と、バリヤ側に設けられていて前記第２のバリヤ係合体２６がスライド可能に重合するレール状の第２のバリヤ係合体係合部９２と、からなっている。
【００３１】
前記バリヤ７は、前記第１の位置に在るときには、図１Ａに示すように、バリヤ付勢バネ（以下、トグルバネと称する）１７のバネ力で前記第１,第２のバリヤ係合体２５、２６に前記レール状の第１,第２のバリヤ係合体係合部９１,９２の一端側に設けた第１のストッパー部１８が押し付けられて前記撮像レンズ４、ＡＦイルミネータ５、フラッシュ用の発光部６を露出させた状態に維持される。また、前記第２の位置に在るときには、図１Ｂに示すように、前記トグルバネ１７のバネ力で前記第１,第２のバリヤ係合体２５,２６に前記レール状の第１,第２のバリヤ係合体係合部９１,９２の他端側に設けた第２のストッパー部１９が押し付けられて前記撮像レンズ４、ＡＦイルミネータ５、フラッシュ用の発光部６および前記アイリス駆動機構１８４の一部を隠蔽した状態に維持される。
【００３２】
図２Ａ、図２Ｂに示すように、前記カメラ本体部２内にはメモリーカード等の記録媒体を収納するメモリーカード収納部６６が設けられている。前記メモリーカード収納部６６は、前記第１の主面３と前記第２の主面５１を結ぶ第１の端面（下端面）６５に開口されていて、該開口部を介して前記メモリーカード収納部６６へのメモリーカードの挿抜が行われる。前記メモリーカード収納部６６の開口部は、メモリーカード収納部用の蓋（以下、メモリーカード蓋と称する）６７で開閉される。また、前記前記カメラ本体部２内には前記メモリーカード収納部６６と直交する方向にバッテリー収納部６９が設けられている。前記バッテリー収納部６９は、前記第１の主面３と前記第２の主面５１を結ぶ第２の端面（右側端面）６８に開口されていて、該開口部を介して前記バッテリー収納部６９へのバッテリーの挿抜が行われる。前記バッテリー収納部６９の開口部は、バッテリー蓋７０で開閉される。前記バッテリー蓋７０の側方には、前記バッテリー収納部６９へのバッテリーの挿入および前記バッテリー収納部６９からバッテリーの抜去を許容するバッテリーリリースレバー７１と、前記バッテリー蓋７０を開いたときに該バッテリー蓋７０が重なるストラップ金具７２と、マルチコネクター接続端子７３と、電源釦７４が設けられている。前記バッテリーリリースレバー７１は、前記バッテリー蓋７０の側方に、該バッテリー蓋７０と非重合状態に配置されている。また、前記バッテリー収納部６９の奥端面には、バッテリー接触端子１１２とバッテリー排出用のバネ１６１が設けられている。
【００３３】
前記バッテリー収納部６９にバッテリーを挿入すると、該バッテリーの先端面で前記バッテリー排出用のバネ１６１が押圧されて、該バッテリー排出用のバネ１６１は蓄勢されて行く。バッテリーがバッテリー収納部６９内に収納されると、前記バッテリーの先端面に設けた端子が前記バッテリー収納部６９の奥端側に設けたバッテリー接触端子１１２と接触する。そこで、前記バッテリーリリースレバー７１の先端で前記バッテリーの背面を押さえて、バッテリーがバッテリー収納部６９から抜け出るのを防止する。
【００３４】
バッテリーをバッテリー収納部６９から抜き出す際には、前記バッテリーリリースレバー７１による前記バッテリーの背面の押さえを解除すると、バッテリーは、前記バッテリー排出用のバネ１６１のバネ力で前記バッテリー収納部６９から所定量押し出される。
（２）カメラ本体部の構成、
カメラ本体部２は、筐体８に各種部品を組み付けることにより構成されている。図３、図４に示すように、前記筐体８は、前記第１の主面３を有する上側カバープレート９と、前記第２の主面５１を有する下側カバープレート１０を結合することにより形成されている。前記筐体８の第１の端面（カメラ通常使用時における下端面）６５は、前記上側カバープレート９の第１の端縁９ａと前記下側カバープレート１０の第１の端縁１０ａを突き合せることにより構成されている。（図２Ｂ参照）。
【００３５】
前記筐体８の第３の端面（上端面）６１は、前記上側カバープレート９の第２の端縁９ｂと、前記下側カバープレート１０の第２の端縁１０ｂを突き合せることにより構成されている。（図１Ａ参照）。前記筐体８の第４の端面（カメラ通常使用時における使用者の左側の端面）７５は、前記上側カバープレート９の第３の端縁９ｃと、前記下側カバープレート１０の第３の端縁１０ｃを突き合せることにより構成されている。（図１Ａ参照）。
【００３６】
前記第４の端面７５と対向する上，下側カバープレート９，１０の一端側９ｄ、１０ｄは、開口された状態になっていて、該開口に前記筐体８の第２の端面（カメラ通常使用時における使用者の右側の端面）６８が組み付けられる構成になっている。
【００３７】
前記筐体の第２の端面６８は、アルミダイカストやプラスチックの射出成形によって形成されていて、前記バッテリー収納部６９の開口部６９ａ（図３参照）が形成され、該開口部６９ａは、後に説明するバッテリー蓋７０で開閉される。図４に示すように、前記第２の端面６８の外面側にストラップ金具７２が一体に形成されている。また、前記第２の端面６８の内面側には、前記筐体８内を仕切る仕切板１７１が配置されている。
【００３８】
前記仕切板１７１の一側部は、前記第２の端面６８の内面側に位置決め保持される。前記仕切板１７１の他側部には、第１，第２のアーム部１７２，１７３が設けられている。前記仕切板１７１は、前記第２の端面６８と前記第１，第２のアーム部１７２，１７３とによって、前記第１の主面３と前記第２の主面５１の間に、これら第１の主面３と前記第２の主面５１と略平行に配置されている。図５に示すように、前記筐体８内は、前記仕切板１７１によって、該仕切板１７１と前記筐体８の第１の主面３との間に位置する第１の部品収納空間１７４と、前記仕切板１７１と前記筐体８の第２の主面５１との間に位置する第２の部品収納空間１７５と、前記仕切板１７１の存在しない第３の部品収納空間１７６と、に仕切られている。なお、５２は、前記第２の主面５１に設けられた透明な液晶表示窓である。
【００３９】
図６および図８に示すように、前記第１の部品収納空間１７４内には、ＡＦイルミネータ５とストロボ用の発光部６およびコンデンサ１７９を備えたストロボユニット１８０と、メモリーカード収納部６６と、メイン基板１８１と、バッテリー接触端子１１２と、スピーカ５７と、バッテリー収納部６９等が配置される。
【００４０】
前記バッテリー収納部６９は、前記上側カバープレート９の第１の主面３の内面に設けられている。前記バッテリー収納部６９は、扁平な略四角形の筒状に形成されていて、前記筐体８の第２の端面６８に臨む一端側の開口部６９ａがバッテリー挿抜口になっている。そして、前記上側カバープレート９を前記仕切板１７１上に組み付けたときに、前記バッテリー収納部６９が前記仕切板１７１上に位置するようになっている。
【００４１】
前記メイン基板１８１は、前記メモリーカード収納部６６上に重ね合わせた状態で取付けられている。前記メモリーカード収納部６６は、開口部６６ａが前記筐体８の第１の端面６５の略中央部に臨んで配置されている。前記メモリーカード収納部６６の一側部には前記バッテリー接触端子１１２が設けられている。前記バッテリー接触端子１１２は、前記バッテリー収納部６９の奥端側の開口部６９ｂに臨んでいる。そして、前記バッテリー収納部６９の開口部６９ａからバッテリー１１１を前記バッテリー収納部６９内に収納すると、該バッテリー１１１に設けた電源端子１１１ａが前記メモリーカード収納部６６の一側部に設けたバッテリー接触端子１１２に接触する。
【００４２】
前記ＡＦイルミネータ５と、ストロボ用の発光部６は、前記メモリーカード収納部６６と前記筐体の第３の端面６１との間に配置されている。また、前記コンデンサ１７９は、前記バッテリー収納部６９と前記筐体８の前記第３の端面６１との間に配置されている。
【００４３】
前記第２の部品収納空間１７５には、液晶パネル１８２が配置されている。前記液晶パネル１８２は、背面側が前記仕切板１７１上に支持されている。また、前記液晶パネル１８２の表示画面は、前記筐体８の下側カバープレート１０の第２の主面５１に設けた透明な液晶表示窓５２を介して可視表示される。
【００４４】
前記第３の部品収納空間１７６には、レンズユニット１８３が配置されている。前記レンズユニット１８３は、光学系を縦方向に配置し、プリズムを用いて光軸を折り曲げることで、光学ズームを装備した細長く薄いレンズが使用されている。前記レンズユニット１８３の一端側に撮像レンズ４が配置されている。そして、前記撮像レンズ４を前記筐体の第３の端面６１側、即ち前記ＡＦイルミネータ５の側方に位置させた状態で、前記レンズユニット１８３は、前記第３の部品収納空間１７６に収納されている。
【００４５】
前記レンズユニット１８３の一側部にはアイリス駆動部１８４が設けられていて、該アイリス駆動部１８４の少なくとも一部は、前記第１の部品収納空間１７４内に侵入する。前記アイリス駆動部１８４の少なくとも一部は、バリヤ７側に変位（突出）していて、前記アイリス駆動部１８４の少なくとも一部の底面１８５が図７に示すように、前記液晶パネル１８２の一側部を導入可能なように凹んだ位置に設けられている。そして、図１０に示すように、前記底面１８５が凹んだ位置にあることによって前記液晶パネル１８２を前記レンズユニット１８３側に、より接近させた状態で配置可能になっている。
【００４６】
図６に示すように、前記メイン基板１８１には、前記アイリス駆動部１８４の一部を受け入れる切欠部１８６が設けられている。
【００４７】
前記筐体８の第１の主面３側に変位した前記アイリス駆動部１８４の少なくとも一部は、図９に示すように、前記筐体８の第１の主面３に設けた突出部導入孔１８７に導入されて、該突出部導入孔１８７を介して前記筐体８の第１の主面３から突出している。そして、前記突出部導入孔１８７から突出している前記アイリス駆動部１８４の一部は、図１Ａ、図１Ｂに示すように、前記筐体８の第１の主面３の外面にスライド可能に取付けられたバリヤ７によって隠蔽されている。図６に示すように、前記メイン基板１８１は、複数のコネクタ１９１およびハーネス１９２を介して前記各部品に接続されている。
【００４８】
図１１は前記バリヤ７を取外した状態を示し、前記扁平な直方体形状の筐体８の第１の主面３の上端側の一隅部に臨んで撮像レンズ４が配置され、該撮像レンズ４の一側部にはＡＦイルミネータ５とフラッシュ用の発光部６が配置されている。
【００４９】
前記撮像レンズ４、ＡＦイルミネータ５、フラッシュ用の発光部６の下方にはベースプレート２１が取付けられている。前記ベースプレート２１には第１の開口部２２が設けられていて、該第１の開口部２２内に前記アイリス駆動部１８４の一部が収容されている。また、前記ベースプレート２１には第２の開口部２３が設けられていて、該第２の開口部２３内には前記バリヤ７が前記第１の位置に在るか、或いは前記第２の位置に在るかを検出するために前記筐体８内に設けられているバリヤ位置検出スイッチ（図示省略）を操作するためのスイッチ操作体２４が配置されている。また、前記ベースプレート２１の両側部には、前記第１,第２のバリヤスライドガイド部１５、１６を構成する一対の第１,第２のバリヤ係合体２５，２６が設けられている。
【００５０】
図１２の分解斜視図に示すように、前記ベースプレート２１には、前記第１,第２の開口部２２,２３の両側部に、前記第１,第２のバリヤ係合体２５，２６を取付けるための第１,第２のバリヤ係合体取付部３１,３２が設けられている。これら第１,第２のバリヤ係合体取付部３１,３２には、複数のボス部３３が設けられている。
【００５１】
前記スイッチ操作体２４は、板バネを略くの字状に折り曲げることにより形成されている。前記スイッチ操作体２４の一側部には、該スイッチ操作体２４を前記ベースプレート２１に取付けるための取付基部３４が設けられている。前記取付基部３４には前記第１のバリヤ係合体取付部３１に設けたボス部３３を挿入する複数のボス挿入孔３５が設けられている。
【００５２】
前記スイッチ操作体２４は、前記第２の開口部２３内に挿入した状態で前記取付基部３４に設けた複数のボス挿入孔３５に前記複数のボス部３３を挿入することにより前記第１のバリヤ係合体取付部３１に取付けられる。
【００５３】
また、前記第１のバリヤ係合体２５は、金属板を折り曲げることにより形成されている。前記第１のバリヤ係合体２５の一側部には、該第１のバリヤ係合体２５を前記ベースプレート２１に取付けるための取付基部４１が設けられている。前記取付基部４１には前記第１のバリヤ係合体取付部３１に設けたボス部３３を挿入する複数のボス挿入孔４２が設けられている。
【００５４】
そして、前述したように、前記第１のカバー係合体取付部３１に設けたボス部３３を前記第１のバリヤ係合体取付部３１の取付基部３４に設けたボス挿入孔３５に挿入したのち、これらボス部３３を前記取付基部４１に設けたボス挿入孔４２に挿入して、前記ボス部３３の先端部に所謂かしめ加工を施して拡径することにより、前記第１のバリア係合体２５は前記筐体２の第１の主面３との間にスイッチ操作体２４の取付基部３４を挟んだ状態で前記第１のバリヤ係合体取付部３１に取付けられる。なお、前記第１のバリヤ係合体２５の取付基部４１には複数の位置決めボス４３が設けられている。
【００５５】
前記位置決めボス４３は、前記第１のバリヤ係合体２５を前記第１のバリヤ係合体取付部３１に取付けたときに、前記ベースプレート２１に設けたボス挿入孔４４に嵌合して前記第１のバリヤ係合体２５の位置決めを行う。前記第１のバリヤ係合体２５の取付基部４１には前記トグルバネ１７の一端部を係止する第１のバネ係止部４５が設けられている。
【００５６】
また、前記第２のバリヤ係合体２６は、前記第１のバリヤ係合体２５と同様に金属板を折り曲げることにより形成されている。前記第２のバリヤ係合体２６の一側部には、該第２のバリヤ係合体２６を前記ベースプレート２３に取付けるための取付基部４６が設けられている。前記取付基部４６には前記第２のバリヤ係合体取付部３２に設けたボス部３３を挿入する複数のボス挿入孔４７が設けられている。
【００５７】
そして、前記第２のバリヤ係合体取付部３２に設けたボス部３３を前記取付基部４６に設けたボス挿入孔４７に挿入して、前記ボス部３３の先端部に所謂かしめ加工を施して拡径することにより、前記第２のバリヤ係合体２６は前記第２のバリヤ係合体取付部３２に取付けられる。なお、前記第２のバリヤ係合体２６の取付基部４６には位置決めボス４８が設けられている。前記位置決めボス４８は、前記第２のバリヤ係合体２６を前記第２のバリヤ係合体取付部３２に取付けたときに、該第２のバリヤ係合体取付部３２に設けた位置決めボス挿入孔４９に嵌合して前記第２のバリヤ係合体２６の位置決めを行う。なお、前記ベースプレート２１に設けた第１の開口部２２はアイリスカバーシート５０で塞がれて、前記第１の開口部２２から筐体２内への塵埃等の侵入が阻止される。また、図２Ａに示すように、前記筐体２の前記第１の主面３に対向する第２の主面５１には、液晶表示部５２と、モード切り替えスイッチ５３と、メニュー釦５４と、コントロール釦５５と、画面表示オンオフ釦５６と、スピーカー５７が設けられている。また、前記第１の主面３と前記第２の主面５１を結ぶ第３の端面（上端面）６１には、マイクロホン６２と、ズーム釦６３と、シャッター釦６４と、が設けられている。
（３）バリヤの構成、
図１２に示すように、前記バリヤ７は、枠状の内側体８１と、該枠状の内側体８１に取付けられて前記スイッチ操作体２４を押圧操作するスイッチ操作体押圧部８２を設けた金属板８３と、該金属板８３を取付けた前記内側体８１の外面に両面接着シート８４等で取付けられた外側体８５と、からなっている。
【００５８】
前記内側体８１には、略四角形の切欠窓部８６が設けられていて、該切欠窓部８６に臨んで前記金属板８３が取付けられる。前記金属板８３には前記スイッチ操作体押圧部８２が切り起こし形成されていると共に、前記第１のバリヤ係合体２５の取付基部４１に設けた第１のバネ係止部４５に一端部を係止された前記トグルバネ１７の他端部を係止する第２のバネ係止部８７を設けた切起部（舌片）８８が切り起こし形成されている。
【００５９】
前記金属板８３の周縁部には複数のボス挿入孔８９が設けられていて、これらボス挿入孔８９に前記内側体８１の切欠窓部８６の周縁部に設けたボス９０を挿入し、これらボス９０の先端にかしめ加工を施して拡径することにより前記金属板８３は前記内側体８１に取付けられる。
【００６０】
また、前記内側体８１の四隅部には前記筐体８の第１の主面３に接触する第１〜第４のローラ１１〜１４が配置されていると共に、移動方向の両側部には、前記ベースプレート２１に取付けた第１,第２のバリヤ係合体２５，２６が係合して移動するレール状の第１,第２のバリヤ係合体係合部９１，９２が設けられている。
【００６１】
前記第１のバリヤ係合体係合部９１は、前記内側体８１の一側部に形成した第１の長孔９３の一側部に沿って形成されている。また、前記第２のバリヤ係合体係合部９２は、前記内側体８１の一側部に形成した第２の長孔９４の他側部に沿って形成されている。前記第１,第２のバリヤ係合体２５，２６と前記レール状の第１,第２のバリヤ係合体係合部９１，９２とにより、前記第１,第２のバリヤスライドガイド部１５、１６が構成される。
（４）ローラの構成、
図１３に示すように、前記第１〜第４のローラ１１〜１４は、円板状のローラ本体部９５と、該ローラ本体部９５の両側面から突出した回転中心軸９６を備えている。前記第１〜第４のローラ１１〜１４は、前記内側体８１の四隅部に設けた第１〜第４のローラ収容部９７に収容され、前記回転中心軸９６を中心にして回転自在になっている。
【００６２】
前記第１〜第４のローラ１１〜１４が回転自在に収容された前記第１〜第４のローラ収容部９７には側方から略コ字状のクリップ９８が取付けられて、前記第１〜第４のローラ１１〜１４が前記第１〜第４のローラ収容部９７から脱落するのを防止している。前記略コ字状のクリップ９８の対向する一対の辺９８ａには切欠窓９８ｂが設けられていて、該切欠窓９８ｂから前記円板状のローラ本体部９５の一部が突出している。
【００６３】
そして、前記内側体８１を前記筐体８の前記第１の主面３に重ね合わせると、前記第１〜第４のローラ１１〜１４が前記筐体８の前記第１の主面３に接触するようになっている。
（５）バリヤスライドガイド部の構成、
バリヤスライドガイド部は、文字通り前記バリヤ７の移動をガイドするものであり、図１４に示すように、前記バリヤ７の一側部に第１のバリヤスライドガイド部１５が配置され、他側部に第２のバリヤスライドガイド部１６が配置されている。
【００６４】
前記第１のバリヤスライドガイド部１５は、前記筐体８に設けた第１のバリヤ係合体２５を前記内側体８１に設けたレール状の第１のバリヤ係合体係合部９１に係合させることにより構成されている。また、前記第２のバリヤスライドガイド部１６は、前記筐体８に設けた第２のバリヤ係合体２６を前記内側体８１に設けたレール状の第２のバリヤ係合体係合部９２に係合させることにより構成されている。
【００６５】
前記第１のバリヤ係合体係合部９１は、前記内側体８１の一側部に形成した第１の長孔９３を介して前記第１のバリヤ係合体２５が重ね合わされた状態で係合されて、前記第１〜第４のローラ１１〜１４を筐体８の主面３に軽く押し付けている。また、前記第２のバリヤ係合体係合部９２は、前記内側体８１の他側部に形成した第２の長孔９４を介して前記第２のバリヤ係合体２６が重ね合わされた状態で係合されて、前記第１〜第４のローラ１１〜１４を筐体８の主面３に軽く押し付けている。そして、前記第１,第２の長孔９３,９４の一側部に沿って、前記バリヤ７は、前記撮像レンズを露出させる第１の位置または撮像レンズを隠蔽する第２の位置に移動させるようになっている。
【００６６】
図１４Ａに示すように、前記レール状の第１,第２のバリヤ係合体係合部９１，９２の長さ方向の一端側には、第１のストッパー部１８が設けられていて、前記バリヤ７が前記第１の位置に移動したときに、前記第１のストッパー部１８が前記第１,第２のバリヤ係合体２５,２６に当接して更なる移動が阻止される。また、図１４（Ｂ）に示すように、前記バリヤ係合体係合部９１，９２の長さ方向の他端側には第２のストッパー部１９が設けられていて、前記バリヤ７が前記第２の位置に移動してきたときに、前記第１,第２のバリヤ係合体２５,２６が当接して更なる移動が阻止される。なお、前記第２のバリヤ係合体係合部９２の第１,第２のストッパー部１８,１９は、前記第２，第４のローラ１２，１４が前記第２，第４のローラ収容部９７から脱落するのを防止している前記略コ字状のクリップ９８で構成されている。
（６）トグルバネの構成、
トグルバネ１７は、前記バリヤ７が前記第１の位置に在るときに前記第１,第２のバリヤ係合体２５,２６を第１のストッパー部１８に押し付けて前記バリヤ７を開放状態に維持し、前記バリヤ７が前記第２の位置に在るときに前記第１,第２のバリヤ係合体２５,２６に前記第２のストッパー部１９に押し付けて前記バリヤ７を閉塞状態に維持する。
【００６７】
図１５に示すように、前記トグルバネ１７は、コイル部１７ａと、該コイル部１７ａの一端から伸びる第１のアーム部１７ｂと、前記コイル部１７ａの他端から伸びる第２のアーム部１７ｃと、からなる所謂捻りコイルバネが使用される。
【００６８】
前記トグルバネ１７の第１のアーム部１７ｂは、前記第１のバリヤ係合体２５の取付基部４１に設けた第１のバネ係止部４５に回動可能に係止されている。また、前記トグルバネ１７の第２のアーム部１７ｃは、前記内側体８１に取付けた金属板８３（図１２参照）の切起部８８に設けられた第２のバネ係止部８７に回動可能に係止されている。
【００６９】
前記トグルバネ１７は、前記バリヤ７が前記第１の位置に在るときには、図１４Ａに示すように、前記第１,第２のバリヤ係合体２５,２６に第１のストッパー部１８を押し付けて前記バリヤ７を開放状態に維持する。そして、前記バリヤ７を第１の位置から第２の位置に移動させて行くと、前記トグルバネ１７のコイル部１７ａが回動（反転）し、前記バリヤ７が所定の位置まで移動してくると、前記トグルバネ１７のバネ力の作用方向が逆転して、図１４Ｂに示すように、前記第１,第２のバリヤ係合体２５,２６に第２のストッパー部１９を押し付けて前記バリヤ７を閉塞状態に維持する。
（７）メモリーカード収納部の蓋（メモリーカード蓋）の構成、
メモリーカード蓋６７は、メモリーカード収納部６６の開口部を開閉するものであり、図３１の断面図に示すように、蓋を閉じた状態において前記第１の主面３と前記第２の主面５１を結ぶ第２の端面（下端面）６５と略面一に重なる端面重合部（蓋本体部）１４１と、前記第２の主面５１に略面一に重なる主面重合部１４２と、を備えている。
【００７０】
前記モリーカード蓋６７は、蓋回動機構１４３により前記筐体８に取り付けられていて、前記メモリーカード収納部６６の開口部６６ａを閉塞する第１の位置（図３１）と、前記開口部６６ａを開放する第２の位置（図３３）との間で回動可能に前記筐体８に取り付けられている。
【００７１】
前記蓋回動機構１４３は、前記メモリーカード蓋６７の回動支点軸１４４と、前記前記回動支点軸１４４を前記筐体８に移動可能に取り付けている長溝状の軸受１４５と、前記メモリーカード蓋６７の開閉に伴う前記回動支点軸１４４の回転によって前記回動支点軸１４４を前記長溝状の軸受１４５に沿って移動させるラック１４６とピニオン１４７を備えている。
【００７２】
前記回動支点軸１４４は前記メモリーカード蓋６７に設けられ、前記長溝状の軸受１４５は筐体２に設けられている。前記ピニオン１４７は、前記回動支点軸１４４の外周面に設けられ、前記ラック１４６は、前記長溝状の軸受の１４５の軸移動方向に沿って設けられている。
【００７３】
前記長溝状の軸受１４５は、メモリーカード収納部６６へのメモリーカード１４８の挿入方向Ａ・排出方向Ｂに対し略平行に設けられていて、前記メモリーカード蓋６７を閉じると前記回動支点軸１４４が前記長溝状の軸受１４５内をメモリーカード１４８の挿入方向Ａに移動し、前記メモリーカード蓋６７を開くと前記回動支点軸１４４が前記長溝状の軸受１４５内をメモリーカード１４８の排出方向Ｂに移動する。
【００７４】
また、図３４に示すように、前記蓋回動機構１４３は、前記メモリーカード蓋６７を閉じたときに、前記回動支点軸１４４を前記長溝状の軸受１４５のメモリーカード１４８の挿入方向Ａの端部側に押し付け（図３１）、前記メモリーカード蓋６７を開いたときに前記回動支点軸１４４を前記長溝状の軸受１４５のメモリーカード１４８の排出方向Ｂの端部側に押し付ける（図３３）ためのクリック機構１５１を備えている。
【００７５】
前記クリック機構１５１は、前記メモリーカード蓋６７に設けられていて該メモリーカード蓋６７の回動に伴って回動するクリック軸１５２と、前記筐体２に設けられていて前記クリック軸１５２の周面に接触しているバネ材（板バネ）１５３と、で構成されている。前記クリック軸１５２の周面には、前記バネ材１５３で前記回動支点軸１４４を前記長溝状の軸受１４５のメモリーカード１４８の挿入方向Ａの端部側に押し付ける方向の付勢力を発生させるための第１のバネ接触面１５４と、前記回動支点軸１４４を前記長溝状の軸受１４５のメモリーカード１４８の排出方向Ｂの端部側に押し付ける方向の付勢力を発生させるための第２のバネ接触面１５５と、が前記クリック軸１５２の回動方向に連続して設けられている。
【００７６】
第１のバネ接触面１５４と第２のバネ接触面１５５の境界部１５６は、前記バネ材１５３に前記クリック軸１５２の回動力を発生させない所謂ニュートラル位置である。前記境界部１５６の前記クリック軸１５２の回動軸心Ｃからの半径方向の距離は、前記クリック軸１５２の回動軸心Ｃから前記第１，第２のバネ接触面１５４，１５５までの半径方向の距離よりも大に設定されている。なお、図３７は、メモリーカード蓋６７を開いた状態の斜視図であり、前記蓋回動機構１４３はメモリーカード蓋６７の両側部に一対配置され、前記クリック機構１５１は前記蓋回動機構１４３の内側に一対配置されている。
【００７７】
実施例のメモリーカード蓋６７は、上述のような構成であって蓋を閉じた状態においては、図３１に示すように、メモリーカード蓋６７の外面は、筐体８の外面と略面一の状態になる。そして、メモリーカード蓋６７を開くと、該メモリーカード蓋６７は、徐々に筐体８から突出していき、全開状態にすると、図３３に示すように、前記メモリーカード蓋６７は、主面重合部１４２の高さだけ前記筐体８の第２の主面５１から突出し、前記端面重合部（蓋本体部）１４１が前記第２の主面５１に対して平行状態になる。
（８）バッテリー収納部の蓋（バッテリー蓋）の構成、
図１６に示すように、前記第１の主面３と前記第２の主面５１を結ぶ端面６８には、前記バッテリー収納部６９の開口部６９ａを開閉するバッテリー蓋７０と、前記バッテリー収納部６９へのバッテリーの挿脱を許容するバッテリーリリースレバー７１と、前記バッテリー蓋７０を開いたときに該バッテリー蓋７０が重なるストラップ金具７２と、マルチコネクター接続端子７３と、を備えている。前記バッテリーリリースレバー７１は、前記バッテリー蓋７０の長さ方向の一端部の外側に並べた状態で配置されている。
【００７８】
前記バッテリー蓋７０は、軸１０１により前記筐体８に回動可能に取り付けられていて、前記軸１０１を中心にして時計方向に回動させると、図１６に示すように、前記筐体８の端面６８上に重なって、前記開口部６９ａを閉じる。また、図１６に示す状態から反時計方向に略１００°回動させると、図１７に示すように、前記バッテリー蓋７０は、開いた状態になり前記ストラップ金具７２に重なって更なる回動を規制されて前記ストラップ金具７２によって保護される。
【００７９】
図１８に示すように、前記軸１０１は弾性を有する金属棒によって形成されていて、その一端側には前記バッテリー蓋７０の閉塞時においては該バッテリー蓋７０を前記筐体８の端面６８側に押し付け、また、前記バッテリー蓋７０の開放時においては該バッテリー蓋７０を前記ストラップ金具７２に押し付けるバネ部１０２が設けられている。前記バネ部１０２は、前記軸１０１の一端側を折り曲げることにより該軸１０１と一体に形成されていて、図２０Ａ，図２０Ｂ， 図２０Ｃに示すように筐体８側に設けたバネ当接面１０３に接触している。
【００８０】
前記バッテリー蓋７０の閉塞時においては、図２０Ａに示すように、前記バネ部１０２は、筐体２側に設けたバネ当接面１０３に接触して、前記軸１０１およびバッテリー蓋７０に矢印Ａ方向（反時計方向）の回動力を付与して前記バッテリー蓋７０を前記筐体８の端面６８側に押し付ける。図２０Ａに示す状態から前記バッテリー蓋７０を開放方向（矢印Ｂ方向）に回動させると、前記バネ部１０２は前記バネ当接面１０３で押されて変形して行き、図２０Ｂに示すように、前記バッテリー蓋７０が所定角度、例えば４５°開いたときに前記バネ部１０２は最も変形し、前記軸１０１およびバッテリー蓋７０に回動力を付与しない中立位置にくる。図２０Ｂに示す状態から更に前記バッテリー蓋７０を開放方向（矢印Ｂ方向）に回動させると、今度は前記バネ部１０２によって前記バッテリー蓋７０を開放させる方向（矢印Ｂ方向）のバネ力が生じ、前記バッテリー蓋７０は、図２０Ｃに示すように、前記ストラップ金具７２に押し付けられて、前記筐体８の開口部６９ａを開放した状態に維持される。
（９）バッテリーリリースレバーの構成、
前記バッテリーリリースレバー７１は、図１６、図１７に示すように、一端部に設けたバッテリー係合部１０６が前記バッテリー収納部６９の開口部６９ａの一部を塞ぐ位置と前記開口部６９ａを開放する位置との間でスライド可能に前記第２の端面６８に設けたレバーガイド部１０７に取付けられている。前記バッテリーリリースレバー７１は、底面側に配置されているバネ材１０８により前記バッテリー収納部６９の開口部６９ａの一部を塞ぐ位置に付勢されている。前記バッテリー係合部１０６の上面は傾斜状のバッテリー押出面１０６ａになっている。
【００８１】
図２１に示すように、前記バッテリーリリースレバー７１を前記バネ材１０８のバネ力に抗してバッテリー１１１を挿入するのに支障のない位置、即ち前記開口部６９ａを開放する位置まで押し戻した状態でバッテリー１１１をバッテリー収納部６９に挿入する。バッテリー１１１をバッテリー収納部６９に挿入すると、前記バッテリー１１１の先端面で、前記バッテリー排出用のバネ１６１が押されて撓んで蓄勢される。そして、バッテリー１１１の先端面に設けた端子が前記バッテリー収納部６９の奥端側に設けたバッテリー端子に接触する。
【００８２】
バッテリー１１１をバッテリー収納部６９に収納したのち、前記バッテリーリリースレバー７１の押し戻し押え状態を解除すると、該バッテリーリリースレバー７１は、前記バネ材１０８のバネ力で自動的に前記バッテリー収納部６９の開口部６９ａの一部を塞ぐ位置まで復帰して、バッテリー１１１がバッテリー収納部６９から抜け出るのを防止する。そして、図２２に示すように、前記バッテリー蓋７０を閉じてバッテリー１１１の挿入作業が終了する。
【００８３】
前記バッテリー蓋７０を閉じた侭の状態で、前記バッテリーリリースレバー７１を押し戻すことが可能であると、前記バッテリーリリースレバー７１が誤って押し戻されたような場合に、バッテリー１１１がバッテリー収納部６９の奥端部に設けられているバッテリー接触端子１１２のバネ力および前記バッテリー排出用のバネのバネ力によりバッテリー収納部６９から押し出されてしまうことがある。押し出される量が僅かであると、前記バッテリー蓋７０の存在によって、バッテリー１１１がバッテリー収納部６９内に完全に収納されていないことが明確にならない場合がある。
【００８４】
そこで、図２１に示すように、前記バッテリーリリースレバー７１に蓋係合部１１３を設ける一方、前記バッテリー蓋７０にリリースレバー係合部１１４を設け、前記バッテリー蓋７０を閉じた状態にすると、図２３に示すように、前記蓋係合部１１３の側方に前記バッテリーリリースレバー係合部１１４が位置し、前記バッテリーリリースレバー７１を押し戻し方向に移動させようとすると、前記蓋係合部１１３が前記バッテリーリリースレバー係合部１１４に係合して前記バッテリー蓋７０を閉じた侭の状態で前記バッテリーリリースレバー７１が押し戻されるのを防止するようになっている。
【００８５】
前記バッテリー収納部６９からのバッテリー１１１の取り出しは、前記バッテリー蓋７０を開いた後に、前記バッテリーリリースレバー７１を前記バネ材１０８の付勢力に抗して押し戻すことによりなされる。前記バッテリーリリースレバー７１を押し戻して、バッテリー１１１の押さえ状態を解除すると、図２４に示すように、バッテリー１１１は前記バッテリー接触端子１１２のバネ力によりバッテリー収納部６９から押し出される。
【００８６】
前記バッテリー接触端子１１２のバネ力によりバッテリー１１１が押し出された後に、前記バッテリーリリースレバー７１をバッテリー１１１後部に向けて移動させれば、図２５に示すように、前記バッテリーリリースレバー７１のバッテリー係合部１０６の上面の傾斜状のバッテリー押出面１０６ａで前記バッテリー１１１のプレート１１１ｅに設けた傾斜面１１１ｆを押して前記バッテリー１１１を更にバッテリー収納部６９から押し出す。
（１０）ストラップ金具の構成、
ストラップ金具７２は、落下防止のために手首用のリストストラップや首に掛けるネックストラップ等を取り付けるための金具であり、撮影時に親指等を当てることにより筐体２を保持し易くする働きもする。
【００８７】
前記ストラップ金具７２は、図２及び図１６に示すように、前記筐体８の端面６８の前記第２の主面５１側の側縁に沿って起立させた状態に一体的に形成されていて、前記第２の主面５１側の第１の面７２ａと反対側の第２の面７２ｂが前記バッテリー蓋７０の受面になっている。前記第２の面７２ｂは、前記筐体２の端面６１またはバッテリー収納部６９の開口部６９ａに対して少なくとも９０°よりも大きな傾斜角度θで形成されている。また、前記第１の面７２ａには、前記マルチコネクター接続端子７３に、次に説明するマルチコネクター１２１を接続したときに、該マルチコネクター１２１が前記マルチコネクター接続端子７３から抜けないように、該マルチコネクター１２１の係合部１２７が係合する溝状の被係合部１１５が設けられている。また、ストラップ金具７２には、ストラップを取付けるための孔１１６が設けられている。
【００８８】
図２７は、前記マルチコネクター接続端子７３に接続するマルチコネクター１２１を示す。前記マルチコネクター１２１は、ＤＣ入力端子１２２と、ＵＳＢ端子１２３と、Ａ／Ｖ出力端子１２４を第１の側面１２１ａに備え、前記マルチコネクター接続端子７３に挿入する端子１２５と、前記ストラップ金具７２を挿入するストラップ金具挿入凹部１２６を第２の側面１２１ｂに備え、前記ストラップ金具挿入凹部１２６の内面に臨んで前記ストラップ金具７２の溝状の被係合部１１５に係合する係合部１２７を備え、前記係合部１２７の前記被係合部１１５からの係合解除操作を行う係合解除釦１２８を第３の側面１２１ｃに備えている。
【００８９】
そして、図２７に示すように、カメラ１の略真横から前記マルチコネクター接続端子７３に端子１２５を挿入すれば、図２８に示すように、前記ストラップ金具７２が自ずと前記ストラップ金具挿入凹部１２６内に挿入されるとともに、前記係合部１２７が前記被係合部１１５に係合して、前記マルチコネクター１２１をカメラ１側にロックする。
【００９０】
図２９は、前記マルチコネクター１２１の要部の断面図である。前記爪状の係合部１２７は、軸１３１を中心に回動可能になっていて、バネ１３２によって前記ストラップ金具挿入凹部１２６内に突出している。そして、前記ストラップ金具７２を前記ストラップ金具挿入凹部１２６に挿入すると、該ストラップ金具７２の先端面７２ａ´で前記係合部１２７の先端の傾斜面１２７ａが押されて前記係合部１２７は、前記バネ１３２の付勢力に抗して逃げ方向に回動する。前記ストラップ金具７２が前記ストラップ金具挿入凹部１２６内に完全に挿入されて、前記ストラップ金具７２の先端面７２ａ´による前記係合部１２７の先端の傾斜面１２７ａの押圧が解除されると、前記係合部１２７は、前記バネ１３２の付勢力で自動的に回動して前記溝状の被係合部１１５に係合する。
【００９１】
前記マルチコネクター１２１をカメラ１から外す場合には、前記係合解除釦１２８を押圧すれば、図３０に示すように、前記係合部１２７は、前記バネ１３２の付勢力に抗して逃げ方向に回動して、前記溝状の被係合部１１５との係合が外れてカメラ１から取外し可能な状態になる。
【００９２】
上述のように、前記マルチコネクター１２１が前記ストラップ金具７２と係合すうように構成したので、通常、このようにマルチコネクターとストラップ金具を係合させることのない構造のものと比較して、例えば前記マルチコネクター１２１のコードが引っ張られたりして強い力が掛かっても、直接、コネクター接続部に前記力が掛からなくなり、コネクターや端子を保護することができるという効果がある。なお、図１、図２等の撮像装置の立体図に対して、図１２〜図２６等は、撮像装置の各部を平面的や立体的に見たものであり、曲面や傾斜面、円筒面等については曲率半径や傾斜角度等に若干の相違があるがそれは作図上のものであって同一符合部分は同一の部分を示す。また、図１、図２等の撮像装置の立体図と、図１６、図１７等に示す撮像装置の立体図との間において、曲面や傾斜面、円筒面等についても曲率半径や傾斜角度等に若干の相違があるがこれも作図上のものである。また、断面図において、一部、ハッチング線を省略した。
（１１）他の実施例
上記実施例においては、メモリーカード収納部６６をカメラ本体部２の中央部に設け、前記カメラ本体部２の下端面６５に設けた開口部６６ａからメモリーカード１４８の出し入れを行うと共に、前記メモリーカード収納部６６と直交する方向にバッテリー収納部６９を設け、前記カメラ本体部２の側端面６８に設けた開口部６９ａからバッテリー１１１の出し入れを行う構成にしたが、バッテリー収納部６９をカメラ本体部２の中央部に設け、前記カメラ本体部２の下端面６５に設けた開口部６９ａからバッテリー１１１を出し入れし、前記バッテリー収納部６９と直交する方向にメモリーカード収納部６６を設け、前記カメラ本体部２の側端面６８に設けた開口部６６ａからメモリーカード１４８の出し入れを行う構成にしてもよい。また、上記実施例では、電子機器としてデジタルカメラを例にとって説明したが、本発明を適用する電子機器は、デジタルカメラ等の撮像装置のほか、例えば、携帯電話機、携帯型のゲーム機等のメモリーカードとバッテリーを使用する小型の電子機器に広く適用される。
【図面の簡単な説明】
【００９３】
【図１Ａ】バリヤを第１の位置（開放位置）に移動させた状態の斜視図。
【図１Ｂ】バリヤを第２の位置（閉塞位置）に移動させた状態の斜視図。
【図２Ａ】カメラを背面側から見た斜視図。
【図２Ｂ】カメラを底面側から見た斜視図。
【図３】筐体の分解斜視図。
【図４】筐体の分解斜視図。
【図５】組立てた状態の筐体の断面図。
【図６】筐体と各種部品の分解斜視図。
【図７】仕切板と液晶パネルおよび光学ユニットの関係を示す斜視図。
【図８】仕切板に各種部品を組み付けた状態の斜視図。
【図９】仕切板に各種部品を組み付けた状態の斜視図。
【図１０】仕切板に各種部品を組み付けた筐体の断面図。
【図１１】バリヤを取外した状態の斜視図。
【図１２】バリヤの分解斜視図。
【図１３】ローラの取付けを示す斜視図。
【図１４Ａ】トグルバネの作用を示す説明図。
【図１４Ｂ】トグルバネの作用を示す説明図。
【図１５】トグルバネの説明図。
【図１６】バッテリー蓋を閉じた状態の斜視図。
【図１７】バッテリー蓋を開いた状態の斜視図。
【図１８】バッテリー蓋と軸を示す斜視図。
【図１９】バッテリー蓋に軸を取付けた状態の正面図。
【図２０Ａ】軸の一端部に設けたバネ部の作用を示す説明図。
【図２０Ｂ】軸の一端部に設けたバネ部の作用を示す説明図。
【図２０Ｃ】軸の一端部に設けたバネ部の作用を示す説明図。
【図２１】バッテリー蓋を開いてバッテリーを収納する前の状態を示す斜視図。
【図２２】バッテリーを収納しバッテリー蓋を閉じた状態を示す斜視図。
【図２３】バッテリーリリースレバーが押し戻せなくなった状態を示す説明図。
【図２４】バッテリーが押出された状態の説明図。
【図２５】バッテリーリリースレバーでバッテリーを押出す状態を示す説明図。
【図２６】ストラップ金具の側面図。
【図２７】カメラにマルチコネクターを取付ける前の状態の斜視図。
【図２８】カメラにマルチコネクターを取付けた状態の斜視図。
【図２９】マルチコネクターがストラップ金具にロックされる前の断面図。
【図３０】マルチコネクターがストラップ金具にロックされた後の断面図。
【図３１】メモリーカード蓋を閉じた状態の蓋回動機構の断面図。
【図３２】メモリーカード蓋を半開きした状態の蓋回動機構の断面図。
【図３３】メモリーカード蓋を開いた状態の蓋回動機構の断面図。
【図３４】メモリーカード蓋を閉じた状態のクリック機構の断面図。
【図３５】メモリーカード蓋を半開きした状態のクリック機構の断面図。
【図３６】メモリーカード蓋を開いた状態のクリック機構の断面図。
【図３７】メモリーカード蓋を開いた状態の斜視図。
【符号の説明】
【００９４】
１…デジタルカメラ、２…カメラ本体部、３…第１の主面、４…撮像レンズ、８…筐体、９…上側カバープレート、１０…下側カバープレート、６５…筐体の第１の端面（カメラ通常使用時における下端面）、６６…メモリーカード収納部、６６ａ…開口部、６８…筐体の第２の端面（カメラ通常使用時における右端面）、６９…バッテリー収納部、６９ａ…開口部、７０…バッテリー蓋、７２…ストラップ金具、１７１…仕切板、、１７４…第１の部品収納空間、１７５…第２の部品収納空間、１７６…第３の部品収納空間、１７９…コンデンサ、１８１…メイン基板、１８２…液晶パネル、１８３…レンズユニット、１８４…アイリス駆動部、１８５…底面、１８６…切欠部、１８７…突出部挿入孔、１９１…コネクタ、１９２…ハーネス。
【手続補正３】
【補正対象書類名】図面
【補正対象項目名】図２Ａ
【補正方法】変更
【補正の内容】
【図２Ａ】
2006222599.tif 000045
【手続補正４】
【補正対象書類名】図面
【補正対象項目名】図２Ｂ
【補正方法】変更
【補正の内容】
【図２Ｂ】
2006222599.tif 000046
【手続補正５】
【補正対象書類名】図面
【補正対象項目名】図１６
【補正方法】変更
【補正の内容】
【図１６】
2006222599.tif 000047
【手続補正６】
【補正対象書類名】図面
【補正対象項目名】図２４
【補正方法】変更
【補正の内容】
【図２４】
2006222599.tif 000048
【手続補正７】
【補正対象書類名】図面
【補正対象項目名】図２５
【補正方法】変更
【補正の内容】
【図２５】
2006222599.tif 000049
【手続補正８】
【補正対象書類名】図面
【補正対象項目名】図２９
【補正方法】変更
【補正の内容】
【図２９】
2006222599.tif 000050